(57)【要約】  基地局（２００）は、移動局（３００）から所定の時間間隔あたり所定数のデータを連続して受信し、このデータの受信品質を所定の閾値を用いて判断する受信品質管理部（２１３）を備える。基地局（２００）では、受信品質管理部（213）によりデータの受信品質が低いと判断された場合には、移動局（３００）に対して所定の時間間隔あたり同一のデータを送信させるバンドリングタイプがＴｙｐｅ１の通知情報を出力し、データの受信品質が高いと判断された場合には、所定の時間間隔あたり異なる複数のデータを送信させるバンドリングタイプがＴｙｐｅ２の通知情報を出力し、データの伝送効率を向上させる。
2012127591.tif 000002
【特許請求の範囲】
【請求項１】
所定の時間間隔あたり所定数のデータを連続して送信する移動局との間で通信をおこなう基地局において、
前記移動局から受信した、連続する前記所定数のデータの受信品質を所定の閾値を用いて判断する測定部と、
前記測定部の測定結果に応じて、前記移動局に対して前記所定の時間間隔あたり同一のデータを送信させる第１の通知情報を出力し、または前記移動局に対して前記所定の時間間隔あたり異なる複数のデータを送信させる第２の通知情報を出力する制御をおこなう制御部と、
を備えることを特徴とする基地局。
【請求項２】
前記所定の時間間隔あたりの所定数のデータは、新規のデータと、当該新規のデータを複製した複製データの組からなり、
前記制御部は、
前記第１の通知情報に、前記所定の時間間隔あたり新規のデータと、当該新規のデータを複製した複製データの送信指示を含み、
前記第２の通知情報に、前記所定の時間間隔あたり２つ以上の異なる新規データと、当該新規データをそれぞれ複製した複製データの送信指示を含むことを特徴とする請求項１に記載の基地局。
【請求項３】
前記測定部は、前記第２の通知情報の出力に基づき前記移動局から受信した、前記所定の時間間隔あたり２つ以上の異なる新規データと、前記複製データのそれぞれに対する受信品質を判断することを特徴とする請求項１に記載の基地局。
【請求項４】
前記測定部は、前記データの受信品質を、前記所定の時間間隔で受信した複数回分測定した結果に基づき判断することを特徴とする請求項１に記載の基地局。
【請求項５】
前記制御部は、前記第２の通知情報に、前記所定の時間間隔における前記新規データと、当該新規データをそれぞれ複製した複製データの時間間隔上の配置パターンを指定することを特徴とする請求項２に記載の基地局。
【請求項６】
前記制御部は、前記第１の通知情報および前記第２の通知情報を、前記移動局との間で通信制御の送受に用いる制御信号のうち、前記所定の時間間隔あたり異なる複数のデータを受信する機能を有さない前記移動局に対して影響を与えない通知情報の領域を用いて前記移動局に通知することを特徴とする請求項１に記載の基地局。
【請求項７】
前記測定部は、前記受信品質を、前記データに対する誤り検出の結果に基づき判断することを特徴とする請求項１〜６のいずれか一つに記載の基地局。
【請求項８】
所定の時間間隔あたり所定数のデータを連続して基地局に送信する送信部と、
前記送信部により送信した前記データの受信品質に基づき、前記基地局が判断した通知情報を受信する受信部と、
前記受信部によって受信した前記通知情報が、第１の通知情報の場合には、前記所定の時間間隔あたり同一のデータを送信し、または前記受信部によって受信した前記通知情報が、第２の通知情報の場合には、前記所定の時間間隔あたり異なる複数のデータを送信する制御をおこなう制御部と、
を備えることを特徴とする移動局。
【請求項９】
前記所定の時間間隔あたりの所定数のデータは、新規のデータと、当該新規のデータを複製した複製データの組からなり、
前記制御部は、前記受信部によって受信した前記通知情報が、前記第１の通知情報の場合には、前記所定の時間間隔あたり新規のデータと、当該新規のデータを複製した複製データを送信し、または前記受信部によって受信した前記通知情報が、前記第２の通知情報の場合には、前記所定の時間間隔あたり２つ以上の異なる新規データと、当該新規データをそれぞれ複製した複製データを送信する制御をおこなうことを特徴とする請求項８に記載の移動局。
【請求項１０】
前記制御部は、前記基地局からの通知情報に指定された、前記所定の時間間隔における前記新規データと、当該新規データをそれぞれ複製した複製データの時間間隔上の配置パターンにしたがい送信させることを特徴とする請求項９に記載の移動局。
【請求項１１】
前記制御部は、前記基地局との間で通信制御の送受に用いる制御信号のうち、前記所定の時間間隔あたり異なる複数のデータを受信する機能を有さない移動局についても影響を与えない通知情報の領域に設定された情報を参照して、前記基地局からの前記通知情報を得ることを特徴とする請求項８に記載の移動局。
【請求項１２】
前記制御部は、前記所定の時間間隔あたり２つ以上の異なる新規データと、当該新規データをそれぞれ複製した複製データを送信させる制御の期間中に、前記基地局からの通知情報が、データの再送を要求することを示す場合には、次回の送信時に、前記所定の時間間隔の一部を使用して前記新規データと当該新規データをそれぞれ複製した複製データを再送することを特徴とする請求項９〜１１のいずれか一つに記載の移動局。
【請求項１３】
所定の時間間隔あたり所定数のデータを連続して送信する移動局との間で通信をおこなう基地局の制御方法において、
前記移動局から受信した、連続する前記所定数のデータの受信品質を所定の閾値を用いて判断し、
前記判断結果に応じて、前記移動局に対して前記所定の時間間隔あたり同一のデータを送信させる第１の通知情報を出力し、または前記移動局に対して前記所定の時間間隔あたり異なる複数のデータを送信させる第２の通知情報を出力することを特徴とする制御方法。
【請求項１４】
基地局に対し、所定の時間間隔あたり所定数のデータを連続して送信する移動局の制御方法において、
前記所定の時間間隔あたり同一のデータを送信したデータの受信品質を前記基地局が判断した通知情報を受信し、
受信した前記通知情報が、第１の通知情報の場合には、前記所定の時間間隔あたり同一のデータを送信し、または受信した前記通知情報が、第２の通知情報の場合には、前記所定の時間間隔あたり異なる複数のデータを送信することを特徴とする制御方法。
【請求項１５】
所定の時間間隔あたり所定数のデータを連続して送信する移動局と、当該移動局における前記データの送信を制御する基地局とからなる通信システムにおいて、
前記基地局は、
前記移動局から受信した、連続する前記所定数のデータの受信品質を所定の閾値を用いて判断する測定部と、
前記測定部によって受信品質が低いと判断された場合には、前記移動局に対して前記所定の時間間隔あたり同一のデータを送信させる第１の通知情報を出力し、
前記測定部によって受信品質が高いと判断された場合には、前記移動局に対して前記所定の時間間隔あたり異なる複数のデータを送信させる第２の通知情報を出力する制御をおこなう制御部と、を含み、
前記移動局は、
前記送信部により送信した前記データの受信品質に基づき、前記基地局が判断した通知情報を受信する受信部と、
前記受信部によって前記第１の通知情報を受信したときには、前記所定の時間間隔あたり同一のデータを送信し、
前記受信部によって前記第２の通知情報を受信したときには、前記所定の時間間隔あたり異なる複数のデータを送信する制御をおこなう制御部と、
を含むことを特徴とする通信システム。
【発明の詳細な説明】
【技術分野】
【０００１】
本発明は、基地局、移動局、制御方法および通信システムに関する。
【背景技術】
【０００２】
ＬＴＥ（Ｌｏｎｇ  Ｔｅｒｍ  Ｅｖｏｌｕｔｉｏｎ）においては、更なる高データレート化を実現するために、たとえば１［ｍｓ］などの短いＴＴＩ（Ｔｒａｎｓｍｉｓｓｉｏｎ  Ｔｉｍｅ  Ｉｎｔｅｒｖａｌ：送信時間間隔）を採用している。ＴＴＩを短くすることで、再送制御に要するＲＴＴ（Ｒｏｕｎｄ  Ｔｒｉｐ  Ｔｉｍｅ：往復遅延時間）が短縮され、システムの遅延が低減される。【０００３】
一方で、ＴＴＩの短いシステムでは、たとえばセル端に位置する移動局（ＵＥ：Ｕｓｅｒ  Ｅｑｕｉｐｍｅｎｔ）では、送信電力が制限されるため送信に十分なエネルギーを確保することができない。この場合、電波品質により移動局からのデータを基地局で正しく受信できない状況が発生する。この場合、データ再送により生じる遅延をいかに低減化させるかが重要となる。【０００４】
ＬＴＥシステムにおけるデータの再送方法としては、ＨＡＲＱ（Ｈｙｂｒｉｄ  Ａｕｔｏｍａｔｉｃ  Ｒｅｐｅａｔ  Ｒｅｑｕｅｓｔ）制御により、誤りのあったデータと、再送されたデータとを合成することで訂正能力を向上させ、再送頻度を抑える技術が開示されている（たとえば、下記特許文献１参照。）。【０００５】
しかし、上記のＨＡＲＱ制御では、データを送信してから受信装置側がデータを受信し、その応答（ＡＣＫ／ＮＡＣＫ応答）まで、送信時間間隔（ＴＴＩ）で見て８ＴＴＩ［ｓ］の遅延が生じる。そして、再送がｎ回繰り返されれば、ｎ×ＲＴＴ（８ＴＴＩ）の遅延が発生することになり、高いデータ伝送速度を実現するための障害となっている。【０００６】
ＬＴＥにおいては、このような遅延に対する手法としてＴＴＩバンドリングによる再送手順が採用されている（たとえば、下記特許文献２参照。）。ＴＴＩバンドリングは数ＴＴＩに渡って同一データのパケットを連続送信し、受信側で合成することにより受信品質の向上を図る手法である。【０００７】
ＴＴＩバンドリングでは、最初から数ＴＴＩｓ連続して同一データを送信し、受信側が数ＴＴＩｓ受信したデータを合成することで、受信応答による再送手順をすることなく、受信品質を向上させる方法である。３ＧＰＰでは、ＴＴＩ  ｂｕｎｄｌｅ  ｓｉｚｅ＝４とされており、初回送信時に新規データ×１と、再送データ×３（基本的に新規データと同一内容のデータを４つ）を４ＴＴＩｓ連続で受信応答を待たずに送信し、受信側で連続して受信した４ＴＴＩｓ分のデータを用いて、合成による正常な１データを受信できるようにしている。再送頻度が高い状況において、非バンドリングのＨＡＲＱ方式からＴＴＩバンドリング方式に切り替えることにより、データ伝送効率の向上と低遅延の実現が可能となる。
【先行技術文献】
【特許文献】
【０００８】
【特許文献１】特表２０１０−５３０７０９号公報
【特許文献２】特開２００９−２５３９８１号公報
【発明の概要】
【発明が解決しようとする課題】
【０００９】
しかしながら、上述した従来技術では、通信効率を十分に向上させることができないという問題がある。【００１０】
すなわち、現状のＴＴＩバンドリングでは４ＴＴＩｓ分で常に１データを送ることしかできない。ＴＴＩバンドリングは、電波状況があまり良くない状況で動作し効果的である。しかし、電波状況が徐々に改善して、４ＴＴＩｓ分のうち、たとえば半分の２ＴＴＩｓ分以上のデータの受信品質（たとえばＣＲＣ：Ｃｙｃｌｉｃ  Ｒｅｄｕｎｄａｎｃｙ  Ｃｈｅｃｋ）が高くなってきた場合には、逆に冗長分のリソースが無駄になってくる。このとき、ＴＴＩバンドリング方式からＨＡＲＱ方式への切り替えも考えられるが、２ＴＴＩｓ程度でＣＲＣが向上した程度では、ＴＴＩバンドリング方式、あるいは非バンドリング方式のどちらでも伝送効率は変わらない。【００１１】
加えて、ＴＴＩバンドリング方式から非バンドリングのＨＡＲＱ方式への切り替えには、ＲＡＣＨシーケンス（基地局から移動局へのＲＲＣ  Ｃｏｎｎｅｃｔｉｏｎ  Ｒｅｃｏｎｆｉｇｕｒａｔｉｏｎを契機とする相互のやりとり）による再リソース割り当て等が必要となり、基地局と移動局間でのやりとりが増え、時間もかかることになる。したがって、ＴＴＩバンドリング方式を用いる場合には、ＴＴＩバンドリング方式を用いたままで、電波状況により伝送効率を可変にできる制御方法の提供が有効となる。【００１２】
開示の基地局、移動局、制御方法および通信システムは、上述した問題点を解消するものであり、伝送状況の変化に対応でき通信効率を向上させることを目的とする。
【課題を解決するための手段】
【００１３】
上述した課題を解決し、目的を達成するため、開示技術の基地局は、移動局から受信した、所定の時間間隔あたり所定数（バンドルサイズ）のデータの受信品質を所定の閾値を用いて判断する測定部を備える。制御部は、測定部で測定されたデータの受信品質が低いと判断された場合には、移動局に対して所定の時間間隔あたり同一のデータを送信させる第１の通知情報（バンドリングタイプ１）を出力する。また、測定部で測定されたデータの受信品質が高いと判断された場合には、移動局に対して所定の時間間隔あたり異なる複数のデータを送信させる第２の通知情報（バンドリングタイプ２）を出力する。移動局は、基地局からの通知情報にしたがい、バンドルサイズは固定のまま送信するデータを変更させて基地局にデータ送信する。３ＧＰＰの仕様にあるＴＴＩ  ｂｕｎｄｌｅ  ｓｉｚｅ＝４において、バンドリングタイプ２の場合には、所定の時間間隔あたりバンドリングタイプ１に比して２倍のデータを送信する。
【発明の効果】
【００１４】
開示の基地局、移動局、制御方法および通信システムによれば、伝送状況の変化に対応でき通信効率を向上させることができるという効果を奏する。
【図面の簡単な説明】
【００１５】
【図１】図１は、実施の形態にかかる通信方法を示す概要図である。
【図２】図２は、実施の形態にかかる基地局の構成例を示すブロック図である。
【図３】図３は、実施の形態にかかる移動局の構成例を示すブロック図である。
【図４】図４は、基地局における受信品質が向上したときのバンドリングタイプの変更処理を示すフローチャートである。
【図５】図５は、受信品質が向上したときの移動局におけるバンドリングタイプの変更処理を示すフローチャートである。
【図６】図６は、基地局における受信品質が悪化したときのバンドリングタイプの変更処理を示すフローチャートである。
【図７】図７は、受信品質が悪化したときの移動局におけるバンドリングタイプの変更処理を示すフローチャートである。
【図８−１】図８−１は、基地局における状態遷移を示す図である。
【図８−２】図８−２は、移動局における状態遷移を示す図である。
【図９】図９は、基地局と移動局間におけるバンドリングのタイプ変更のやりとりを示すシーケンス図である。
【図１０−１】図１０−１は、バンドリングタイプがＴｙｐｅ２のときのデータのリソース割り当てを示す図である（その１）。
【図１０−２】図１０−２は、バンドリングタイプがＴｙｐｅ２のときのデータのリソース割り当てを示す図である（その２）。
【図１０−３】図１０−３は、バンドリングタイプがＴｙｐｅ２のときのデータのリソース割り当てを示す図である（その３）。
【図１１】図１１は、受信品質によるバンドリングタイプの変更を説明するタイムチャートである。
【図１２】図１２は、バンドリングタイプがＴｙｐｅ２のときの再送制御を説明するタイムチャートである。
【発明を実施するための形態】
【００１６】
以下に添付図面を参照して、開示技術の好適な実施の形態を詳細に説明する。
【００１７】
（実施の形態）
（通信方法）
図１は、実施の形態にかかる通信方法を示す概要図である。はじめに、この実施の形態の通信方法の概要について説明する。基地局では、携帯端末等の移動局から送信されたＴＴＩバンドリングによるデータ受信状況を監視する。移動局は、基地局に対して、１回の送信あたり所定のＴＴＩｓ（送信時間間隔）連続してＴＴＩバンドル数の同一パケットを送信するＴＴＩバンドリングをおこなう。ここで、当初は、規格にしたがい１回分（４ＴＴＩｓ分）のデータ送信を４つのパケットを用いておこなう。１ＴＴＩｓ分のパケットを新規データとし、残り３ＴＴＩｓ分のパケットは新規データの複製データとして送信する（図１のデータＡ）。
【００１８】
そして、基地局では、移動局から送信されたデータＡを受信した後のデータａについて受信品質を監視する。そして、新規データまたは複製データのうち１つでも受信品質が良好（たとえばＣＲＣ−ＯＫ：誤りなし）であれば、移動局に対してデータが正常に受信できたことを示すＡＣＫを返す。基地局では、一つのデータの組である２ＴＴＩｓ分のデータ（新規データ×１と複製データ×１）があれば受信できる確率が高い状況と判断できたとする。たとえば、図１に示すデータａでは、３／４の確率で受信品質が良好（ＣＲＣ−ＯＫ）と判定できたため、新規データ×１と複製データ×１でも良好にデータ受信できると判断する。
【００１９】
この場合、基地局は移動局に対して、４ＴＴＩｓを１回分のデータ送信に使用するのではなく、１回分（４ＴＴＩｓ）の間に、２つの異なるデータ（新規データ１＋新規データ１の複製データ１）＋（新規データ１と異なる新規データ２＋新規データ２の複製データ２）、すなわち、異なる２組分（２データ分）を送るよう送信タイプを変更するように伝える。
【００２０】
移動局は、基地局から送信タイプの変更の通知を受けると、図１に示すデータＢのように、４ＴＴＩｓの間に、（新規データ１＋複製データ１）＋（新規データ２＋複製データ２）のように異なる２組分のデータを基地局に送信するようになる。
【００２１】
図１で見て、既存のように１データを４ＴＴＩｓに割り付けるタイプ（データＡ）をＴｙｐｅ１と称する。そして、上述のように、２データを２ＴＴＩｓ＋２ＴＴＩｓとして割り付けるタイプ（データＢ）をＴｙｐｅ２と称する。基地局から移動局へのバンドリングタイプの変更の通知情報は、基地局から移動局に対する下り制御信号の制御ＣＨ（ＰＤＣＣＨ）に含ませる。
【００２２】
そして、Ｔｙｐｅ２では、基地局で受信したデータに対するＡＣＫ／ＮＡＣＫ判断は、２データのそれぞれで判断する（データｂ）。すなわち２ＴＴＩｓ１組のデータうち新規データあるいは複製データのいずれかの受信品質が良好であればデータを正常に復号できるため、この１組のデータについてＡＣＫ１を返すことができ、他の１組についても同様にＡＣＫ２を判断する。
【００２３】
このように、基地局は、移動局から送信されるＴＴＩバンドリングのデータ受信品質を監視し、移動局に対し、基地局へ送信するデータのリソース制御をおこなう。これにより、Ｔｙｐｅ２のときには、移動局から基地局へのアップリンクについて、ＴＴＩバンドリング動作を維持したままの状態、すなわち、１組あたり新規データと複製データの組を維持して基地局側での受信の確率を高めつつ、約２倍のデータ伝送が可能となり、効率的なデータ伝送が可能になる。
【００２４】
（基地局の構成例）
図２は、実施の形態にかかる基地局の構成例を示すブロック図である。基地局２００は、無線部２０１と、ベースバンド部２０２と、伝送ＩＦ部２０３と、を含んでいる。無線部２０１は、アンテナ２１０を介してＲＦの無線電波を送受信する。受信した無線電波は、ベースバンド部２０２の復調部２１１で信号が復調され、復号部２１２で信号が復号される。復号部２１２で復号された信号については、データの受信品質を測定および管理する測定部としてのＣＲＣ部２１３によりＣＲＣチェックが実施される。ベースバンド部２０２は、たとえばＤＳＰ（Ｄｉｇｉｔａｌ  Ｓｉｇｎａｌ  Ｐｒｏｃｅｓｓｏｒ）で実現することができる。
【００２５】
ＣＲＣ部２１３を介して、受信した信号は、伝送ＩＦ部２０３を介して外部出力される。このＣＲＣ部２１３は、復号部２１２から出力されたパケット（データ）のＣＲＣ（誤り検出）をおこなう。ＣＲＣ部２１３は、ＣＲＣを行ったパケットを、ＣＲＣ結果を示すＣＲＣ情報とともに伝送Ｉ／Ｆ部２０３へ出力する。このＣＲＣ情報は、パケットの誤り検出結果に関する情報であり、たとえばパケットに誤りがないかあるか（ＣＲＣ−ＯＫまたはＣＲＣ−ＮＧ）を示す情報である。また、ＣＲＣ部２１３によるＣＲＣチェックの結果は、アップリンク制御部２２０に出力される。
【００２６】
移動局に対するデータの送信について説明すると、伝送ＩＦ部２０３にデータが入力され、このデータは、ダウンリンク制御部２３０を介して変調部２３５で変調され、無線部２０１に出力され、アンテナ２１０から移動局に送信される。
【００２７】
また、アップリンク制御部２２０は、移動局に対するバンドリング数の変更等に関する制御信号を送信する。このアップリンク制御部２２０の内部について説明すると、上り信号制御機能部２２１と、非ＴＴＩバンドリングＨＡＲＱ制御部２２２と、ＴＴＩバンドリング受信品質管理部２２３と、ＴＴＩバンドリングデータ数設定部２２４と、ＴＴＩバンドリングＨＡＲＱ制御部２２５と、を含む。ＴＴＩバンドリングＨＡＲＱ制御部２２５は、バンドリングしたデータの再送を制御する再送制御部２２６を含む。
【００２８】
上り信号制御機能部２２１は、上り信号に関する制御を実施し、電波強度の状況に応じてＴＴＩバンドリング機能させるか否かを判断する。また、移動局から受信した各リソース毎にＣＲＣ部２１３のＣＲＣ結果（ＣＲＣ−ＯＫまたはＣＲＣ−ＮＧ）も中継する。この上り信号制御機能部２２１は、ＴＴＩバンドリングを機能させる（ＴＴＩバンドリング＝ＯＮ）場合には、ＴＴＩバンドリング受信品質管理部２２３以降の各部でＴＴＩバンドリング伝送にかかる制御を実行させる。一方、上り信号制御機能部２２１は、ＴＴＩバンドリングではなく、通常の再送制御を機能させる（ＴＴＩバンドリング＝ＯＦＦ）場合には、非ＴＴＩバンドリングＨＡＲＱ制御部２２２による再送制御を実行させる。
【００２９】
本実施の形態では、ＴＴＩバンドリングを機能させた（ＴＴＩバンドリング＝ＯＮ）伝送制御を主に記載しているが、非ＴＴＩバンドリングＨＡＲＱ制御部２２２による再送制御を機能させる（ＴＴＩバンドリング＝ＯＦＦ）場合と、ＴＴＩバンドリングを機能させる（ＴＴＩバンドリング＝ＯＮ）場合とを選択し、対応する情報を制御信号に含ませて移動局に送信する。これら非ＴＴＩバンドリングのＨＡＲＱ方式とＴＴＩバンドリング方式の選択については、後述する状態遷移を用いて説明する。
【００３０】
ＴＴＩバンドリング受信品質管理部２２３は、上り信号制御機能部２２１を介してＣＲＣ部２１３からのＣＲＣ結果を受け、受信品質によるバンドリングタイプ（Ｔｙｐｅ１またはＴｙｐｅ２）の判定をおこなう。すなわち、移動局から図１のデータＡを受信した結果、１回の送信（４ＴＴＩｓ）で受信品質が良好（ＣＲＣ−ＯＫ）の場合には（図１のデータａ）、それまでのＴｙｐｅ１からＴｙｐｅ２（図１のデータＢ）にバンドリングタイプを変更させる。また、後述するように、受信品質が悪化したときには、Ｔｙｐｅ２からＴｙｐｅ１にバンドリングタイプを変更させる。
【００３１】
ＴＴＩバンドリングデータ数設定部２２４は、ＴＴＩバンドリング受信品質管理部２２３で変更されたバンドリングタイプに対応して、１回の送信（４ＴＴＩｓ）のデータ数と、データ配置パターン（新規データおよび複製データの配置）を設定する。Ｔｙｐｅ１であれば、１ＴＴＩｓ分のパケットを新規データとし、残り３ＴＴＩｓ分のパケットは新規データの複製データとして配置する設定をおこなう。ＴＹＰＥ２であれば、１回分（４ＴＴＩｓ）の間に、２つの異なるデータ（新規データ１＋新規データ１の複製データ１）＋（新規データ１と異なる新規データ２＋新規データ２の複製データ２）、すなわち、異なる２組分（２データ分）を送る配置の設定をおこなう。
【００３２】
ＴＴＩバンドリングＨＡＲＱ制御部２２５は、実際のリソース割り当てをおこない制御信号を出力する。このＴＴＩバンドリングＨＡＲＱ制御部２２５には、再送制御部２２６が設けられ、上述した、移動局におけるデータの複製、およびデータの再送を制御する。変調部２３５は、ＴＴＩバンドリングＨＡＲＱ制御部２２５から出力される制御信号を所定の変調方式で変調する。無線部２０１は、変調された制御信号をアンテナ２１０を介して移動局に送信する。
【００３３】
（移動局の構成例）
図３は、実施の形態にかかる移動局の構成例を示すブロック図である。移動局３００は、無線部３０１と、ベースバンド部３０２と、アプリケーションＩＦ部３０３と、を含んでいる。移動局３００は、たとえば携帯電話端末である。
【００３４】
ベースバンド部３０２は、復調部３１１と、復号部３１２と、ＣＲＣ部３１３と、受信制御部３２０と、送信制御部３３０と、変調部３３５と、を含んでいる。このベースバンド部３０２は、たとえば、携帯電話端末に内蔵された通信プロセッサで実現することができる。
【００３５】
無線部３０１は、アンテナ３１０を介してＲＦの無線電波を送受信する。受信した無線電波は、ベースバンド部３０２の復調部３１１で信号が復調され、復号部３１２で信号が復号される。復号部３１２で復号された信号については、ＣＲＣ部３１３によりＣＲＣチェックが実施され、受信制御部３２０に出力される。
【００３６】
受信制御部３２０は、データ処理部３２１と、制御信号処理部３２２と、を含む。データ処理部３２１は、受信したデータを処理し、アプリケーションＩＦ部３０３を介して各入出力装置に出力する。また、受信した制御信号は、制御信号処理部３２２により処理され、ＴＴＩバンドリングタイプ判定部３２３によりバンドリングタイプが判定される。なお、制御信号には、非ＴＴＩバンドリング機能を選択する情報、あるいはＴＴＩバンドリング機能とＴＴＩバンドリングタイプを選択する情報が含まれており、この情報を送信制御部３３０に出力する。
【００３７】
基地局２００に対するデータの送信について説明すると、各入出力装置３４０からアプリケーションＩＦ部３０３にデータが入力され、送信制御部３３０を介して変調部３３５により変調され、無線部３０１に入力され、アンテナ３１０から基地局２００に送信される。基地局２００に送信されるデータは、送信制御部３３０により再送制御され、送信される。
【００３８】
送信制御部３３０は、非ＴＴＩバンドリングＨＡＲＱ制御部３３１と、ＴＴＩバンドリングＨＡＲＱ制御部３３２と、を含む。この送信制御部３３０は、制御信号処理部３２２から出力された送信制御にかかる信号が非ＴＴＩバンドリングＨＡＲＱ制御であれば、非ＴＴＩバンドリングＨＡＲＱ制御部３３１を機能させ、移動局３００に対するデータを、非ＴＴＩバンドリングＨＡＲＱ制御部３３１による通常の再送機能を有して送信する。一方、ＴＴＩバンドリングであれば、ＴＴＩバンドリングＨＡＲＱ制御部３３２を機能させ、ＴＴＩバンドリングの機能を有して送信する。非ＴＴＩバンドリングＨＡＲＱ制御については説明を省略する。
【００３９】
ＴＴＩバンドリングＨＡＲＱ制御部３３２は、制御信号処理部３２２から出力された信号（上述したバンドリングタイプ）に対応して、ＴＴＩバンドリングタイプ（Ｔｙｐｅ１またはＴｙｐｅ２）の変更をおこない、変更したタイプでデータを出力する。
【００４０】
変調部３３５は、送信制御部３３０から出力されたデータを所定の変調方式で変調する。無線部３０１は、変調されたデータをアンテナ３１０を介して基地局２００に送信する。
【００４１】
（基地局におけるバンドリングタイプの変更処理：受信品質向上時）
図４は、基地局における受信品質が向上したときのバンドリングタイプの変更処理を示すフローチャートである。移動局３００から送信される電波の電波状態が良好となり（改善され）、データの受信品質が向上したときの処理を示している。処理開始時のバンドリングタイプはＴｙｐｅ１であるとする。
【００４２】
データの受信品質が良好となったときには、アップリンクのスループットを上げるためにＴＴＩバンドリングのタイプをＴｙｐｅ２に変更する。受信品質が良好とならなかったり、安定しない場合には、Ｔｙｐｅ１のままとする。
【００４３】
はじめに、基地局２００では、移動局３００から送信された電波を無線部２０１で受信する（ステップＳ４０１）。そして、復号されたデータの受信品質（ＣＲＣ）がＣＲＣ部２１３により検出される。ここで、ＴＴＩバンドリング受信品質管理部２２３は、１回の送信あたり（４ＴＴＩｓ）におけるＣＲＣ−ＯＫの数を予め定めた閾値（値＝２）と比較する（ステップＳ４０２）。現在の３ＧＰＰの規格では、バンドルサイズが４であるため、２ＴＴＩｓ分で１つのデータ（新規データと複製データ）の組とするためには、閾値の値＝２が好ましい。
【００４４】
ＴＴＩバンドリング受信品質管理部２２３による比較の結果、ＣＲＣ−ＯＫの数が閾値以上のときには（ステップＳ４０２：Ｙｅｓ）、カウント値ｎを１インクリメントする（ステップＳ４０３）。一方、ＣＲＣ−ＯＫの数が閾値未満の場合には、（ステップＳ４０２：Ｎｏ）、それまでのカウント値ｎを０クリアし（ステップＳ４０４）、ステップＳ４０１に戻る。
【００４５】
ステップＳ４０３の処理後、ＴＴＩバンドリング受信品質管理部２２３は、カウント値ｎが予め定めたバンドリングタイプ切り替え判断用の変更閾値Ｎを超えたか判断する（ステップＳ４０５）。変更閾値Ｎは１以上に設定する（図１の例では変更閾値Ｎ＝１に相当）。変更閾値Ｎを２とすれば２回分の受信品質で判断する。これにより、連続した複数回の送信についてステップＳ４０２の条件を満たす場合（受信状態が）にはカウント値ｎの値は増加する。変更閾値Ｎに達しないまでの期間は（ステップＳ４０５：Ｎｏ）、次回の送信（４ＴＴＩｓ）について同様にステップＳ４０１以降の処理を実行する。
【００４６】
そして、ＴＴＩバンドリング受信品質管理部２２３は、ＴＴＩカウント値ｎが変更閾値Ｎを超えた場合には（ステップＳ４０５：Ｙｅｓ）、バンドリングタイプをＴｙｐｅ１からＴｙｐｅ２へ変更し（ステップＳ４０６）、上記変更の処理を終了する。具体的には、ＴＴＩバンドリングデータ数設定部２２４を介してＴＴＩバンドリングＨＡＲＱ制御部２２５に対し、バンドリングタイプをＴｙｐｅ２に変更させる制御をおこなう。この制御は、制御信号として移動局３００に送信され、実際には移動局３００においてバンドリングタイプがＴｙｐｅ１からＴｙｐｅ２に変更される。
【００４７】
上記処理において、ステップＳ４０５で比較する変更閾値Ｎの値を大きくすれば、受信品質が安定した状況となった後にバンドリングタイプがＴｙｐｅ２に変更されることになる。
【００４８】
（移動局におけるバンドリングタイプの変更処理：受信品質向上時）
図５は、受信品質が向上したときの移動局におけるバンドリングタイプの変更処理を示すフローチャートである。移動局３００は、基地局２００から送信される制御信号に基づき、バンドリングタイプを変更する。この受信品質が向上、とは基地局２００において移動局３００から受信したデータの受信品質が向上したことを意味する。移動局３００では、バンドリングタイプの変更の情報が含まれた制御信号を受信してバンドリングタイプを変更する。処理開始時のバンドリングタイプはＴｙｐｅ１であるとする。
【００４９】
はじめに、移動局３００では、基地局２００から送信された電波を無線部３０１で受信し、復号部３１２により制御信号を復号する受信処理をおこなう（ステップＳ５０１）。そして、制御信号処理部３２２により、制御信号に含まれるバンドリングタイプの情報を判断する（ステップＳ５０２）。バンドリングタイプがＴｙｐｅ１であれば（ステップＳ５０２：Ｔｙｐｅ１）、バンドリングタイプの変更をおこなわずに処理を終了する。
【００５０】
一方、制御信号処理部３２２による判断の結果、バンドリングタイプがＴｙｐｅ２であれば（ステップＳ５０２：Ｔｙｐｅ２）、ＴＴＩバンドリングＨＡＲＱ制御部３３２は、バンドリングタイプをＴｙｐｅ１からＴｙｐｅ２へ変更し（ステップＳ５０３）、上記変更の処理を終了する。これにより、以降、移動局３００から基地局２００へ送信するデータは、Ｔｙｐｅ２（図１のデータＢ）で示したバンドリングタイプとなる。
【００５１】
（基地局におけるバンドリングタイプの変更処理：受信品質悪化時）
図６は、基地局における受信品質が悪化したときのバンドリングタイプの変更処理を示すフローチャートである。図４に示す処理により、バンドリングタイプがＴｙｐｅ２に変更された後の処理であり、移動局３００から送信される電波の電波状態が悪化し（低下し）、データの受信品質が悪化したときの処理を示している。
【００５２】
データの受信品質が悪化したときには、アップリンクのスループットを下げるためにＴＴＩバンドリングのタイプをＴｙｐｅ１に変更する。受信品質が良好な状態で安定していれば、Ｔｙｐｅ２のままとする。
【００５３】
はじめに、基地局２００では、移動局３００から送信された電波を無線部２０１で受信する（ステップＳ６０１）。そして、復号されたデータの受信品質（ＣＲＣ）がＣＲＣ部２１３により検出される。ここで、ＴＴＩバンドリング受信品質管理部２２３は、１回の送信あたり（４ＴＴＩｓ）におけるＣＲＣ−ＯＫの数を予め定めた閾値（値＝２）と比較する（ステップＳ６０２）。比較の結果、ＣＲＣ−ＯＫの数が閾値未満のときには（ステップＳ６０２：Ｙｅｓ）、カウント値ｎを１インクリメントする（ステップＳ６０３）。一方、ＣＲＣ−ＯＫの数が閾値未満でなければ、（ステップＳ６０２：Ｎｏ）、それまでのカウント値ｎを０クリアし（ステップＳ６０４）、ステップＳ６０１に戻る。
【００５４】
ステップＳ６０３の処理後、ＴＴＩバンドリング受信品質管理部２２３は、ＴＴＩカウント値ｎが予め定めたバンドリングタイプ切り替え判断用の変更閾値Ｎを超えたか判断する（ステップＳ６０５）。変更閾値Ｎは１以上に設定する。これにより、連続した複数回の送信についてステップＳ６０２の条件を満たす場合にはカウント値ｎの値は増加する。変更閾値Ｎに達しないまでの期間は（ステップＳ６０５：Ｎｏ）、次の回の送信（４ＴＴＩｓ）について同様にステップＳ６０１以降の処理を実行する。
【００５５】
そして、ＴＴＩバンドリング受信品質管理部２２３は、ＴＴＩカウント値ｎが変更閾値Ｎを超えた場合には（ステップＳ６０５：Ｙｅｓ）、バンドリングタイプをＴｙｐｅ２からＴｙｐｅ１へ変更し（ステップＳ６０６）、上記変更の処理を終了する。具体的には、ＴＴＩバンドリングデータ数設定部２２４を介してＴＴＩバンドリングＨＡＲＱ制御部２２５に対し、バンドリングタイプをＴｙｐｅ１に変更させる制御をおこなう。この制御は、制御信号として移動局３００に送信され、実際には移動局３００においてバンドリングタイプがＴｙｐｅ２からＴｙｐｅ１に変更される。
【００５６】
電波状況が悪化した場合において、バンドリングタイプをＴｙｐｅ２のままで継続させると、再送が発生してしまうことになる。すなわち、データの再送の発生の有無で見ると、１回の送信あたり複数の異なるデータを含むＴｙｐｅ２に比して、同一データを４つ含むＴｙｐｅ１の方が再送の発生を抑えることができる。このため、たとえば、受信品質が安定しているか否かを短期間で判断し、再送の発生を抑えるバンドリングＴｙｐｅ１へ早めに切り替えるようにする場合には、変更閾値Ｎの値を小さくする。
【００５７】
（移動局におけるバンドリングタイプの変更処理：受信品質悪化時）
図７は、受信品質が悪化したときの移動局におけるバンドリングタイプの変更処理を示すフローチャートである。移動局３００は、基地局２００から送信される制御信号に基づき、バンドリングタイプを変更する。移動局３００では、バンドリングタイプの変更の情報が含まれた制御信号を受信してバンドリングタイプを変更する。図５の処理により、処理開始時のバンドリングタイプはＴｙｐｅ２であるとする。
【００５８】
はじめに、移動局３００では、基地局２００から送信された電波を無線部３０１で受信し、復号部３１２により制御信号を復号する受信処理をおこなう（ステップＳ７０１）。そして、制御信号処理部３２２により、制御信号に含まれるバンドリングタイプの情報を判断する（ステップＳ７０２）。バンドリングタイプがＴｙｐｅ２であれば（ステップＳ７０２：Ｔｙｐｅ２）、バンドリングタイプの変更をおこなわずに処理を終了する。
【００５９】
一方、制御信号処理部３２２による判断結果、バンドリングタイプがＴｙｐｅ１であれば（ステップＳ７０２：Ｔｙｐｅ１）、ＴＴＩバンドリングＨＡＲＱ制御部３３２は、バンドリングタイプをＴｙｐｅ２からＴｙｐｅ１へ変更し（ステップＳ７０３）、上記変更の処理を終了する。これにより、以降、移動局３００から基地局２００へ送信するデータは、Ｔｙｐｅ１（図１のデータＡ）で示したバンドリングタイプとなる。
【００６０】
（ＴＴＩバンドリング方式と非ＴＴＩバンドリング方式の状態遷移）
図８−１は、基地局における状態遷移を示す図である。非ＴＴＩバンドリング（ノーマルモードと称す）と、ＴＴＩバンドリングのタイプ（Ｔｙｐｅ１，Ｔｙｐｅ２）間での相互の遷移状態を示している。これらの状態遷移は、基地局２００の上り信号制御機能部２２１が切り替え指示する。基地局２００は、初期状態でＴＴＩバンドリングタイプがＴｙｐｅ１で動作している（状態８０１）。
【００６１】
この後、移動局３００からのデータ受信時の受信品質が向上すると、基地局２００のＴＴＩバンドリングＨＡＲＱ制御部２２５は、ＴＴＩバンドリングタイプをＴｙｐｅ２の状態に変更する（状態８０２）。ＴＴＩバンドリングタイプがＴｙｐｅ２の状態にあるとき、移動局３００からのデータ受信時の受信品質が悪化すると、基地局２００は、ＴＴＩバンドリングタイプをＴｙｐｅ１の状態に戻す（状態８０１）。
【００６２】
上述した実施の形態では、ＴＴＩバンドリング動作をおこなうこと（ＴＴＩバンドリング＝ＯＮ）を前提としたが、基地局２００は、非ＴＴＩバンドリング（ＴＴＩバンドリング＝ＯＦＦ）の状態（状態８１０）に切り替えることもできる。
【００６３】
ＴＴＩバンドリングの状態（状態８０１のＴｙｐｅ１および状態８０２のＴｙｐｅ２）から非ＴＴＩバンドリング（ノーマルモードと称す）の状態８１０へは、いずれも図示のように、ＴＴＩバンドリング＝ＯＦＦとすることにより切り替えることができる。
【００６４】
一方、非ＴＴＩバンドリング（ノーマルモードと称す）の状態８１０からＴＴＩバンドリング（ＴＴＩバンドリング＝ＯＮ）への状態の切り替えについては、必ず、状態８０１のＴｙｐｅ１に状態遷移するようにしている。これは、ＴＴＩバンドリングのＴｙｐｅ１が現在の３ＧＰＰの規格に相当するためである。ＴＴＩバンドリングへの状態遷移は、まずＴｙｐｅ１に遷移し、その後、Ｔｙｐｅ２に遷移するようにしている。
【００６５】
図８−２は、移動局における状態遷移を示す図である。移動局３００における状態遷移についても、基地局２００同様であるが、基地局２００からの制御信号に含まれるＴＴＩバンドリングＯＮ／ＯＦＦの状態と、ＴＴＩバンドリングタイプ＝Ｔｙｐｅ１／Ｔｙｐｅ２）の情報に基づき従動する形で切り替えられる。この状態遷移は、基地局２００からの制御信号の受信に基づき、移動局３００の制御信号処理部３２２が切り替え指示する。移動局３００は、初期状態でＴＴＩバンドリングタイプがＴｙｐｅ１で動作している（状態９０１）。このＴｙｐｅ１では、図１のデータＡに示すように、１回の送信に新規データを１つのみ含む。
【００６６】
この後、基地局２００が移動局３００からのデータ受信時の受信品質が向上したと判断すると、基地局２００のＴＴＩバンドリングＨＡＲＱ制御部２２５は、ＴＴＩバンドリングタイプをＴｙｐｅ２の状態に変更し、制御信号に含ませて移動局３００に送信する。これを受けて移動局３００は、ＴＴＩバンドリングタイプをＴｙｐｅ２の状態に変更する（状態９０２）。Ｔｙｐｅ２は、図１のデータＢに示すように、１回の送信で２つの新規データを含む。
【００６７】
ＴＴＩバンドリングタイプがＴｙｐｅ２の状態にあるとき、基地局２００が移動局３００からのデータ受信時の受信品質が悪化したと判断すると、基地局２００のＴＴＩバンドリングＨＡＲＱ制御部２２５は、ＴＴＩバンドリングタイプをＴｙｐｅ１の状態に変更し、制御信号に含ませて移動局３００に送信する。これを受けて移動局３００は、ＴＴＩバンドリングタイプをＴｙｐｅ１の状態に戻す（状態９０１）。
【００６８】
また、ＴＴＩバンドリングの状態（状態９０１のＴｙｐｅ１および状態９０２のＴｙｐｅ２）から非ＴＴＩバンドリング（ノーマルモードと称す）の状態９１０へは、いずれも図示のように、ＴＴＩバンドリング＝ＯＦＦとすることにより切り替えることができる。
【００６９】
一方、非ＴＴＩバンドリング（ノーマルモードと称す）の状態９１０からＴＴＩバンドリング（ＴＴＩバンドリング＝ＯＮ）への状態の切り替えについては、必ず、状態９０１のＴｙｐｅ１に状態遷移するようにしている。これは、ＴＴＩバンドリングのＴｙｐｅ１が現在の３ＧＰＰの規格に相当するためである。ＴＴＩバンドリングへの状態遷移は、まずＴｙｐｅ１に遷移し、その後、Ｔｙｐｅ２に遷移するようにしている。なお、ＴＴＩバンドリング自体をＯＮ／ＯＦＦして非ＴＴＩバンドリングのＨＡＲＱ方式との間で遷移させる場合には、既存のＲＡＣＨ手順が必要となる。
【００７０】
（バンドリングのタイプ変更のシーケンス）
図９は、基地局と移動局間におけるバンドリングのタイプ変更のやりとりを示すシーケンス図である。通常、移動局３００は、リソース割り当て可能な情報を通知するＧｒａｎｔ信号（制御ＣＨ：ＰＤＣＣＨ）を基地局２００から受信し、割り当てられたリソースにデータを入れて送信する。本実施の形態では、基地局２００側がＧｒａｎｔ信号にバンドリングタイプの情報（Ｔｙｐｅ１／Ｔｙｐｅ２）を入れて通知する（ステップＳ９０１，ステップＳ９０３，ステップＳ９１０）。
【００７１】
移動局３００では、Ｇｒａｎｔ信号のバンドリングタイプ情報を見て、送信するデータのバンドリングタイプをＴｙｐｅ１あるいはＴｙｐｅ２に変更する（ステップＳ９０２，ステップＳ９０４，ステップＳ９１１）。データを受けた基地局２００では、Ｇｒａｎｔ信号で通知したバンドリングタイプを用いて、移動局３００から受信した受信データを処理する。
【００７２】
上述したＧｒａｎｔ信号は、通常のシーケンスで使用しており、ＴＴＩバンドリングの状態を維持したままダイナミックにバンドリングタイプを変更できるようになる。また、バンドリングタイプがＴｙｐｅ２の場合、このＴｙｐｅ２のバンドリング機能に未対応の移動局３００を考慮し、未対応の移動局３００に影響しないＧｒａｎｔ信号の領域にＴＴＩバンドリングタイプ情報を入れることが望ましい。すなわち、未対応の移動局３００の非参照領域（Ｄｏｎ’ｔ  ｃａｒｅ領域）を考慮してＴＴＩバンドリングタイプ情報領域を設けることで、Ｔｙｐｅ２に未対応の移動局３００はこのＤｏｎ’ｔ  ｃａｒｅ領域を参照しないため、影響を生じない。
【００７３】
Ｔｙｐｅ２に未対応の移動局３００は、基地局２００からＴｙｐｅ２の情報が来ても認識せずに、従来のＴＴＩバンドリング動作（バンドリングタイプ＝Ｔｙｐｅ１）をおこなう。基地局２００は、バンドリングされたデータをＧｒａｎｔ信号で通知するパラメータを元にＲＶ（Ｒｅｄｕｎｄａｎｃｙ  Ｖｅｒｓｉｏｎ）  ｉｎｄｅｘ等の情報を用いてデコードすることで、バンドリングＴｙｐｅ１のままであることを認識し、未対応の移動局３００であると判断できる。また、移動局３００がＴｙｐｅ２に対応しており、基地局２００が未対応である場合は、Ｇｒａｎｔ信号にＴＴＩバンドリングタイプ情報そのものが入らないため、そのまま従来のＴＴＩバンドリング動作（バンドリングＴｙｐｅ１）で動作する。
【００７４】
（バンドリング時のデータリソース割り当てについて）
図１０−１〜図１０−３は、それぞれバンドリングタイプがＴｙｐｅ２のときのデータのリソース割り当てを示す図である。バンドリングタイプがＴｙｐｅ２のとき、１回の送信の４ＴＴＩｓに新規データ×２、複製データ×２を配置する方法として、図示の３パターンが考えられる。基地局２００から移動局３００に対して通知するＧｒａｎｔ信号には、新規データの位置を示すパターン情報を入れて通知することにより、移動局３００は、通知されたパターンでデータを配置し送信できるようになる。
【００７５】
図１０−１に示すパターン１では、新規データ１、複製データ１、新規データ２、複製データ２の順で配置している。このパターン１は、図１に示したデータＢに相当する。図１０−２に示すパターン２では、新規データ１、新規データ２、複製データ１、複製データ２の順で配置している。図１０−３に示すパターン３では、新規データ１、新規データ２、複製データ２、複製データ１の順で配置している。
【００７６】
上記のパターン１〜パターン３についていずれかのデータの受信品質が悪化（ＣＲＣ−ＮＧ）する要因となる電波障害が発生し、電波障害は２ＴＴＩｓに渡る期間で発生したことを考えてみる。
【００７７】
パターン１では、２ＴＴＩｓに新規データと複製データが連続しているため、図示のように、２ＴＴＩｓに渡って電波障害が発生すると、データ１（あるいはデータ２）は、新規および複製のいずれもＮＧとなりやすい。
【００７８】
パターン２では、２ＴＴＩｓに新規データ１，２が連続しており、新規データ２の次には複製データ１であるため、２ＴＴＩｓに渡ってどの期間で電波障害が発生したとしても、新規あるいは複製データのいずれかがＯＫとなるため、耐性が高い。
【００７９】
パターン３では、２ＴＴＩｓに新規データ２と複製データ２が連続しているため、図示のように、この期間で電波障害が発生したときには、データ２がＮＧとなる。それ以外の期間では、パターン１よりも耐性が高い。上記の結果、電波障害等の受信品質悪化に対する耐性はパターン２＞パターン３＞パターン１となる。すなわち、時間的インターリーブ効果のあるパターン２が最も良い。
【００８０】
（ＴＴＩバンドリングによるデータ内容の詳細）
（受信品質によるバンドリングタイプの変更）
次に、上述した実施の形態において説明したＴＴＩバンドリングによるデータ内容の詳細について説明する。図１１は、受信品質によるバンドリングタイプの変更を説明するタイムチャートである。横軸がサブフレーム（時間）である。基地局２００は、移動局３００に対し、Ｇｒａｎｔ信号を送信し（ステップＳ１１００）、ＴＴＩバンドリングのタイプを通知する。ここでは初期状態でＴｙｐｅ１を通知したとする。これにより移動局３００は、Ｔｙｐｅ１でＴＴＩバンドリングしたデータ１１０１を基地局２００に送信する。このバンドリングは上述したように、バンドルサイズが４であり、４ＴＴＩｓを新規データ×１と、複製データ×３とする。
【００８１】
基地局２００では、移動局３００からのデータ１１０１を受信した結果、新規データがＣＲＣ−ＮＧであるが、他の複製データ×３がＣＲＣ−ＯＫとなった（ステップＳ１１０３）。ＣＲＣ−ＯＫが１つ以上あるため、移動局３００に対してＡＣＫ通知をおこなう（ステップＳ１１０４）。
【００８２】
上記同様の手順で移動局３００からは、２回目のデータ１１０５を基地局２００に送信する。図示のように、１回の送受信にかかる周期（１ＲＴＴ）は、１６ＴＴＩｓである。基地局２００では、このデータ１１０５についてもＣＲＣ−ＯＫが１つ以上あるため（ステップＳ１１０６）、移動局３００に対してＡＣＫ通知をおこなう（ステップＳ１１０７）。また、基地局２００は、移動局３００からのデータの受信品質が一定期間良いことに基づき、バンドリングタイプをＴｙｐｅ２に変更する（ステップＳ１１０８）。基地局２００における以上のバンドリングタイプの変更にかかる処理は図４に記載されている。
【００８３】
そして、基地局２００は、変更したバンドリングタイプ＝Ｔｙｐｅ２の情報をＧｒａｎｔ信号に入れて移動局３００に通知する（ステップＳ１１１０）。Ｇｒａｎｔ信号１１１１には、ｆｏｒｍａｔ情報フラグ１１１１ａ、ＲＢアサイン１１１１ｂ、ＭＣＳ  ａｎｄ  ＲＶ１１１１ｃ、ＮＤＩ１１１１ｄ、バンドリングタイプ１１１１ｎ、等の領域が設けられている。ｆｏｒｍａｔ情報フラグ１１１１ａは、制御情報のフォーマット識別フラグである。ＲＢアサイン１１１１ｂは、リソースブロックのアサイン情報である。ＭＣＳ  ａｎｄ  ＲＶ（Ｍｏｄｕｌａｔｉｏｎ  ａｎｄ  Ｃｏｄｉｎｇ  Ｓｃｈｅｍｅ  ａｎｄ  Ｒｅｄｕｎｄａｎｃｙ  Ｖｅｒｓｉｏｎ）１１１１ｃは、変調、符号化、初送・再送の重複バージョン情報である。ＮＤＩ（Ｎｅｗ  Ｄａｔａ  Ｉｎｄｉｃａｔｏｒ）１１１１ｄは、新規データを示すパラメータである。バンドリングタイプ１１１１ｎは、新規に領域を設け、更に上述したようにＤｏｎ’ｔ  ｃａｒｅ領域に確保することで、Ｔｙｐｅ２に未対応の移動局３００では参照されない。
【００８４】
次に、移動局３００は、基地局２００からのＧｒａｎｔ信号に含まれるＴｙｐｅ２の情報を受けて、バンドリングタイプをＴｙｐｅ２に変更する。移動局３００におけるバンドリングタイプの変更にかかる処理は、図５に記載されている。図１１に示す例では、上述したパターン１（図１０−１参照）による配置でデータ１１１２を基地局２００に送信している。移動局３００は、Ｔｙｐｅ２のとき、２つのデータＡ，Ｂを送信する。この際、パターン１のバンドリングにより、このデータＡ，Ｂは、新規データＡ、複製データＡ、新規データＢ、複製データＢの配置とされる。
【００８５】
基地局２００では、移動局３００からのデータ１１１２を受信した結果、新規データＡがＣＲＣ−ＮＧであるが、他のデータ×３がＣＲＣ−ＯＫとして得られた（ステップＳ１１１３）。この結果、ＣＲＣ−ＯＫが１つ以上あるため、移動局３００に対してＡＣＫ通知をおこなう（ステップＳ１１１４）。図示のように、データＡについて、新規データＡと複製データＡのいずれかでＯＫであればＡＣＫを送信する。また、データＢについても、新規データＢと複製データＢのいずれかでＯＫであれば（図示の例ではいずれもＯＫ）ＡＣＫを送信する。
【００８６】
基地局２００は、所定期間中におけるＴｙｐｅ２で受信したデータの受信品質が悪化していなければ、Ｔｙｐｅ２のままのバンドリングで良いと判断する。この場合、ステップＳ１１１５において、移動局３００に送信するＧｒａｎｔ信号のうち、バンドリングタイプの領域の情報は書き換えられず前回同様にＴｙｐｅ２のままである。
【００８７】
これにより、移動局３００では、データＡ，ＢのいずれについてもＡＣＫの受信により基地局２００で正常に受信できていると判断し、新たなデータＣ，Ｄを次に送信する。この際、パターン１のバンドリングによるデータ１１１６は、新規データＣ、複製データＣ、新規データＤ、複製データＤの配置とされる。
【００８８】
基地局２００では、移動局３００からのデータ１１１６を受信した結果、複製データＤがＣＲＣ−ＮＧであるが、他のデータ×３がＣＲＣ−ＯＫとして得られた（ステップＳ１１１７）。この結果、ＣＲＣ−ＯＫが１つ以上あるため、移動局３００に対してＡＣＫ通知をおこなう（ステップＳ１１１８）。
【００８９】
以上のように、移動局３００から基地局２００に対する１回のデータ送信中に１つのデータの送信だけではなく、基地局で受信したデータの受信品質が良好であれば、１回のデータ送信（４ＴＴＩｓ）に異なる２つのデータを送信するようバンドリングのタイプを変更する。これにより、基地局は、移動局からのデータの受信品質が良好であれば、移動局からより多くのデータを受信できるようになり、移動局３００から基地局２００へのアップリンクの伝送路のスループットを向上させることができるようになる。
【００９０】
（Ｔｙｐｅ２におけるデータの再送制御について）
図１２は、バンドリングタイプがＴｙｐｅ２のときの再送制御を説明するタイムチャートである。次に、Ｔｙｐｅ２におけるデータの再送制御について説明する。基地局２００は、バンドリングタイプ＝Ｔｙｐｅ２の情報をＧｒａｎｔ信号に入れて移動局３００に通知する（ステップＳ１２００）。
【００９１】
次に、移動局３００は、基地局２００からのＧｒａｎｔ信号に含まれるＴｙｐｅ２の情報を受けて、データ１２０１として、２つのデータＡ，Ｂを送信する。この際、パターン１のバンドリングにより、このデータＡ，Ｂは、新規データＡ、複製データＡ、新規データＢ、複製データＢの配置とされる。
【００９２】
基地局２００では、移動局３００からのデータ１２０１を受信した結果、新規データＡがＣＲＣ−ＮＧであるが、他のデータ×３がＣＲＣ−ＯＫとして得られた（ステップＳ１２０３）。この結果、ＣＲＣ−ＯＫが１つ以上あるため、移動局３００に対してＡＣＫ通知をおこなう（ステップＳ１２０４）。
【００９３】
これにより、移動局３００では、データＡ，ＢのいずれについてもＡＣＫの受信により基地局２００で正常に受信できていると判断し、新たなデータＣ，Ｄを次に送信する。この際、パターン１のバンドリングによるデータ１２０６は、新規データＣ、複製データＣ、新規データＤ、複製データＤの配置とされる。
【００９４】
基地局２００では、移動局３００からのデータ１２０６を受信した結果、データＣについては、新規データＣおよび複製データＣのいずれについてもＣＲＣ−ＯＫであるため（ステップＳ１２０７）、ＡＣＫ通知をおこなう（ステップＳ１２０８ａ）。しかし、データＤの２ＴＴＩｓについては、新規データＤおよび複製データＤのいずれもＣＲＣ−ＮＧとなった（ステップＳ１２０７）。このため、移動局３００に対してデータＤについてのＮＡＣＫ通知をおこなう（ステップＳ１２０８ｂ）。
【００９５】
これにより移動局３００では、データＤに対するＮＡＣＫの受信によりデータＤが基地局２００で正常に受信できていないと判断し、データＤについては、次回の送信時に再度送信すると判断する（ステップＳ１２１０）。このため、移動局３００では、データ１２１１として、新たなデータＥと、再送するデータＤとする。再送するデータＤは、新たなデータＥで使用する２ＴＴＩｓの後段の２ＴＴＩｓ部分に配置する。
【００９６】
基地局２００では、移動局３００からのデータ１２１１を受信した結果、再送したデータＤについて新規データＤおよび再送データＤのいずれもＣＲＣ−ＯＫとなったため（ステップＳ１２１２）、移動局３００に対してＡＣＫ通知をおこなう（ステップＳ１２１３ｂ）。なお、データＥについては、新規データＥがＣＲＣ−ＮＧであるが、複製データＥがＣＲＣ−ＯＫとして得られたので（ステップＳ１２１２）、移動局３００に対してＡＣＫ通知をおこなっている（ステップＳ１２１３ａ）。
【００９７】
上記処理によりデータＤの再送をおこなうことができる。以降、移動局３００は、新たなデータ１２１４としてデータＦと、データＧを基地局２００に送信する。なお、上記データＤの再送回数は、上述した変更閾値Ｎに基づき規定することができる。たとえば、図６に示した変更閾値Ｎを４とすれば、データＤの再送が４回を超えれば、バンドリングタイプは、Ｔｙｐｅ２からＴｙｐｅ１に変更されて、再送回数は、Ｔｙｐｅ２に比して少なくできるようになる。
【００９８】
以上のように、バンドリングタイプがＴｙｐｅ２であっても、Ｔｙｐｅ２の状態を維持したままデータの再送をおこなうことができ、１回の送信の４ＴＴＩｓのうち２ＴＴＩｓを用いて１つのデータを再送することができ、この際、新たなデータについても送信できる。したがって、Ｔｙｐｅ２では、再送が発生してもＴｙｐｅ１に比してより多くのデータを送信できるようになり、移動局３００から基地局２００へのアップリンクの伝送路のスループットを向上させることができるようになる。
【００９９】
以上説明した開示技術では、移動局３００が１台の構成について説明したが、基地局２００は、複数台の移動局３００を収容しており、これら複数台の移動局３００に対するＴＴＩバンドリングのタイプを変更させることができる。そして、基地局２００は、移動局３００毎の受信品質を管理してＴＴＩバンドリングのタイプを移動局３００別に変更できるため、各移動局３００の状況に応じた動的なＴＴＩバンドリングのデータ伝送制御をおこなえるようになる。これにより、リソースを効率的に使用して、アップリンクのデータ速度を向上でき、レイテンシを低減できるようになる。また、リソースを有効に活用することで、移動局３００が無駄にデータ送信することを防止できるため、移動局３００の省電力化も図ることができるようになる。
【０１００】
また、上記実施の形態では、アップリンクによるＴＴＩバンドリング制御をおこなう構成について説明したが、上記システム構成をダウンリンクにおけるＴＴＩバンドリング制御に適用することもできる。この場合には、移動局では、基地局側装置から送信されたＴＴＩバンドリングによるデータ受信状況を監視する。移動局から基地局側装置へのバンドリングタイプ（上記Ｔｙｐｅ１、またはＴｙｐｅ２）の変更の通知情報は、移動局から基地局側装置に対する上り制御信号に含ませる。
【０１０１】
そして、移動局は、基地局側から送信されるＴＴＩバンドリングのデータ受信品質を監視し、基地局側装置に対し、移動局へ送信するデータのリソース制御をおこなう。これにより、Ｔｙｐｅ２のときには、基地局側装置から移動局へのダウンリンクについて、ＴＴＩバンドリング動作を維持したままの状態、すなわち、１組あたり新規データと複製データの組を維持して移動局での受信の確率を高めつつ、約２倍のデータ伝送が可能となり、効率的なデータ伝送が可能になる。
【０１０２】
さらに他の構成例としては、アップリンクによるＴＴＩバンドリング制御をおこなう構成において基地局がバンドリングタイプ変更の通知情報を送信せず、移動局が自らバンドリングタイプを変更する構成としてもよい。たとえば、アップリンクにおける通信速度を移動局が自ら計測し、通信状態が良好であれば、移動局が自らバンドリングタイプをＴｙｐｅ２に変更する。あるいは、基地局からのデータの受信状態に基づき、通信状態が良好であれば、移動局が自らバンドリングタイプをＴｙｐｅ２に変更する。このような構成は、ダウンリンクにおけるＴＴＩバンドリング制御、すなわち、移動局がバンドリングタイプ変更の通知情報を送信せず、基地局が自らバンドリングタイプを変更する構成にも適用できる。
【符号の説明】
【０１０３】
２００  基地局
２１３  ＣＲＣ部
２２０  アップリンク制御部
２２１  上り信号制御機能部
２２２  非ＴＴＩバンドリングＨＡＲＱ制御部
２２３  ＴＴＩバンドリング受信品質管理部
２２４  ＴＴＩバンドリングデータ数設定部
２２５  ＴＴＩバンドリングＨＡＲＱ制御部
２３０  ダウンリンク制御部
３００  移動局
３２０  受信制御部
３２１  データ処理部
３２２  制御信号処理部
３２３  ＴＴＩバンドリングタイプ判定部
３３０  送信制御部
３３１  非ＴＴＩバンドリングＨＡＲＱ制御部
３３２  ＴＴＩバンドリングＨＡＲＱ制御部
【図１】
2012127591.tif 000003
【図２】
2012127591.tif 000004
【図３】
2012127591.tif 000005
【図４】
2012127591.tif 000006
【図５】
2012127591.tif 000007
【図６】
2012127591.tif 000008
【図７】
2012127591.tif 000009
【図８−１】
2012127591.tif 000010
【図８−２】
2012127591.tif 000011
【図９】
2012127591.tif 000012
【図１０−１】
2012127591.tif 000013
【図１０−２】
2012127591.tif 000014
【図１０−３】
2012127591.tif 000015
【図１１】
2012127591.tif 000016
【図１２】
2012127591.tif 000017
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
所定の時間間隔あたり所定数のデータを連続して送信する移動局との間で通信をおこなう基地局において、
前記移動局から受信した、連続する前記所定数のデータの受信品質を所定の閾値を用いて判断する測定部と、
前記測定部の測定結果に応じて、前記移動局に対して前記所定の時間間隔あたり同一のデータを送信させる第１の通知情報を出力し、または前記移動局に対して前記所定の時間間隔あたり異なる複数のデータを送信させる第２の通知情報を出力する制御をおこなう制御部と、
を備えることを特徴とする基地局。
【請求項２】
前記所定の時間間隔あたりの所定数のデータは、新規のデータと、当該新規のデータを複製した複製データの組からなり、
前記制御部は、
前記第１の通知情報に、前記所定の時間間隔あたり新規のデータと、当該新規のデータを複製した複製データの送信指示を含み、
前記第２の通知情報に、前記所定の時間間隔あたり２つ以上の異なる新規データと、当該新規データをそれぞれ複製した複製データの送信指示を含むことを特徴とする請求項１に記載の基地局。
【請求項３】
前記測定部は、前記第２の通知情報の出力に基づき前記移動局から受信した、前記所定の時間間隔あたり２つ以上の異なる新規データと、前記複製データのそれぞれに対する受信品質を判断することを特徴とする請求項２に記載の基地局。
【請求項４】
前記測定部は、前記データの受信品質を、前記所定の時間間隔で受信した複数回分測定した結果に基づき判断することを特徴とする請求項１に記載の基地局。
【請求項５】
前記制御部は、前記第２の通知情報に、前記所定の時間間隔における前記新規データと、当該新規データをそれぞれ複製した前記複製データの時間間隔上の配置パターンを指定することを特徴とする請求項２に記載の基地局。
【請求項６】
所定の時間間隔あたり所定数のデータを連続して基地局に送信する送信部と、
前記送信部により送信した前記データの受信品質に基づき、前記基地局が判断した通知情報を受信する受信部と、
前記受信部によって受信した前記通知情報が、第１の通知情報の場合には、前記所定の時間間隔あたり同一のデータを送信し、または前記受信部によって受信した前記通知情報が、第２の通知情報の場合には、前記所定の時間間隔あたり異なる複数のデータを送信する制御をおこなう制御部と、
を備えることを特徴とする移動局。
【請求項７】
所定の時間間隔あたり所定数のデータを連続して送信する移動局との間で通信をおこなう基地局の制御方法において、
前記移動局から受信した、連続する前記所定数のデータの受信品質を所定の閾値を用いて判断し、
前記判断の結果に応じて、前記移動局に対して前記所定の時間間隔あたり同一のデータを送信させる第１の通知情報を出力し、または前記移動局に対して前記所定の時間間隔あたり異なる複数のデータを送信させる第２の通知情報を出力することを特徴とする制御方法。
【請求項８】
所定の時間間隔あたり所定数のデータを連続して送信する移動局と、当該移動局における前記データの送信を制御する基地局とからなる通信システムにおいて、
前記基地局は、
前記移動局から受信した、連続する前記所定数のデータの受信品質を所定の閾値を用いて判断する測定部と、
前記測定部によって受信品質が低いと判断された場合には、前記移動局に対して前記所定の時間間隔あたり同一のデータを送信させる第１の通知情報を出力し、
前記測定部によって受信品質が高いと判断された場合には、前記移動局に対して前記所定の時間間隔あたり異なる複数のデータを送信させる第２の通知情報を出力する制御をおこなう制御部と、を含み、
前記移動局は、
送信部により送信した前記データの受信品質に基づき、前記基地局が判断した通知情報を受信する受信部と、
前記受信部によって前記第１の通知情報を受信したときには、前記所定の時間間隔あたり同一のデータを送信し、
前記受信部によって前記第２の通知情報を受信したときには、前記所定の時間間隔あたり異なる複数のデータを送信する制御をおこなう制御部と、
を含むことを特徴とする通信システム。
【手続補正２】
【補正対象書類名】明細書
【補正対象項目名】全文
【補正方法】変更
【補正の内容】
【発明の詳細な説明】
【技術分野】
【０００１】
本発明は、基地局、移動局、制御方法および通信システムに関する。
【背景技術】
【０００２】
ＬＴＥ（Ｌｏｎｇ  Ｔｅｒｍ  Ｅｖｏｌｕｔｉｏｎ）においては、更なる高データレート化を実現するために、たとえば１［ｍｓ］などの短いＴＴＩ（Ｔｒａｎｓｍｉｓｓｉｏｎ  Ｔｉｍｅ  Ｉｎｔｅｒｖａｌ：送信時間間隔）を採用している。ＴＴＩを短くすることで、再送制御に要するＲＴＴ（Ｒｏｕｎｄ  Ｔｒｉｐ  Ｔｉｍｅ：往復遅延時間）が短縮され、システムの遅延が低減される。
【０００３】
一方で、ＴＴＩの短いシステムでは、たとえばセル端に位置する移動局（ＵＥ：Ｕｓｅｒ  Ｅｑｕｉｐｍｅｎｔ）では、送信電力が制限されるため送信に十分なエネルギーを確保することができない。この場合、電波品質により移動局からのデータを基地局で正しく受信できない状況が発生する。この場合、データ再送により生じる遅延をいかに低減化させるかが重要となる。
【０００４】
ＬＴＥシステムにおけるデータの再送方法としては、ＨＡＲＱ（Ｈｙｂｒｉｄ  Ａｕｔｏｍａｔｉｃ  Ｒｅｐｅａｔ  Ｒｅｑｕｅｓｔ）制御により、誤りのあったデータと、再送されたデータとを合成することで訂正能力を向上させ、再送頻度を抑える技術が開示されている（たとえば、下記特許文献１参照。）。
【０００５】
しかし、上記のＨＡＲＱ制御では、データを送信してから受信装置側がデータを受信し、その応答（ＡＣＫ／ＮＡＣＫ応答）まで、送信時間間隔（ＴＴＩ）で見て８ＴＴＩ［ｓ］の遅延が生じる。そして、再送がｎ回繰り返されれば、ｎ×ＲＴＴ（８ＴＴＩ）の遅延が発生することになり、高いデータ伝送速度を実現するための障害となっている。
【０００６】
ＬＴＥにおいては、このような遅延に対する手法としてＴＴＩバンドリングによる再送手順が採用されている（たとえば、下記特許文献２参照。）。ＴＴＩバンドリングは数ＴＴＩに渡って同一データのパケットを連続送信し、受信側で合成することにより受信品質の向上を図る手法である。
【０００７】
ＴＴＩバンドリングでは、最初から数ＴＴＩｓ連続して同一データを送信し、受信側が数ＴＴＩｓ受信したデータを合成することで、受信応答による再送手順をすることなく、受信品質を向上させる方法である。３ＧＰＰでは、ＴＴＩ  ｂｕｎｄｌｅ  ｓｉｚｅ＝４とされており、初回送信時に新規データ×１と、再送データ×３（基本的に新規データと同一内容のデータを４つ）を４ＴＴＩｓ連続で受信応答を待たずに送信し、受信側で連続して受信した４ＴＴＩｓ分のデータを用いて、合成による正常な１データを受信できるようにしている。再送頻度が高い状況において、非バンドリングのＨＡＲＱ方式からＴＴＩバンドリング方式に切り替えることにより、データ伝送効率の向上と低遅延の実現が可能となる。
【先行技術文献】
【特許文献】
【０００８】
【特許文献１】特表２０１０−５３０７０９号公報
【特許文献２】特開２００９−２５３９８１号公報
【発明の概要】
【発明が解決しようとする課題】
【０００９】
しかしながら、上述した従来技術では、通信効率を十分に向上させることができないという問題がある。
【００１０】
すなわち、現状のＴＴＩバンドリングでは４ＴＴＩｓ分で常に１データを送ることしかできない。ＴＴＩバンドリングは、電波状況があまり良くない状況で動作し効果的である。しかし、電波状況が徐々に改善して、４ＴＴＩｓ分のうち、たとえば半分の２ＴＴＩｓ分以上のデータの受信品質（たとえばＣＲＣ：Ｃｙｃｌｉｃ  Ｒｅｄｕｎｄａｎｃｙ  Ｃｈｅｃｋ）が高くなってきた場合には、逆に冗長分のリソースが無駄になってくる。このとき、ＴＴＩバンドリング方式からＨＡＲＱ方式への切り替えも考えられるが、２ＴＴＩｓ程度でＣＲＣが向上した程度では、ＴＴＩバンドリング方式、あるいは非バンドリング方式のどちらでも伝送効率は変わらない。
【００１１】
加えて、ＴＴＩバンドリング方式から非バンドリングのＨＡＲＱ方式への切り替えには、ＲＡＣＨシーケンス（基地局から移動局へのＲＲＣ  Ｃｏｎｎｅｃｔｉｏｎ  Ｒｅｃｏｎｆｉｇｕｒａｔｉｏｎを契機とする相互のやりとり）による再リソース割り当て等が必要となり、基地局と移動局間でのやりとりが増え、時間もかかることになる。したがって、ＴＴＩバンドリング方式を用いる場合には、ＴＴＩバンドリング方式を用いたままで、電波状況により伝送効率を可変にできる制御方法の提供が有効となる。
【００１２】
開示の基地局、移動局、制御方法および通信システムは、上述した問題点を解消するものであり、伝送状況の変化に対応でき通信効率を向上させることを目的とする。
【課題を解決するための手段】
【００１３】
上述した課題を解決し、目的を達成するため、開示技術の基地局は、移動局から受信した、所定の時間間隔あたり所定数（バンドルサイズ）のデータの受信品質を所定の閾値を用いて判断する測定部を備える。制御部は、測定部で測定されたデータの受信品質が低いと判断された場合には、移動局に対して所定の時間間隔あたり同一のデータを送信させる第１の通知情報（バンドリングタイプ１）を出力する。また、測定部で測定されたデータの受信品質が高いと判断された場合には、移動局に対して所定の時間間隔あたり異なる複数のデータを送信させる第２の通知情報（バンドリングタイプ２）を出力する。移動局は、基地局からの通知情報にしたがい、バンドルサイズは固定のまま送信するデータを変更させて基地局にデータ送信する。３ＧＰＰの仕様にあるＴＴＩ  ｂｕｎｄｌｅ  ｓｉｚｅ＝４において、バンドリングタイプ２の場合には、所定の時間間隔あたりバンドリングタイプ１に比して２倍のデータを送信する。
【発明の効果】
【００１４】
開示の基地局、移動局、制御方法および通信システムによれば、伝送状況の変化に対応でき通信効率を向上させることができるという効果を奏する。
【図面の簡単な説明】
【００１５】
【図１】図１は、実施の形態にかかる通信方法を示す概要図である。
【図２】図２は、実施の形態にかかる基地局の構成例を示すブロック図である。
【図３】図３は、実施の形態にかかる移動局の構成例を示すブロック図である。
【図４】図４は、基地局における受信品質が向上したときのバンドリングタイプの変更処理を示すフローチャートである。
【図５】図５は、受信品質が向上したときの移動局におけるバンドリングタイプの変更処理を示すフローチャートである。
【図６】図６は、基地局における受信品質が悪化したときのバンドリングタイプの変更処理を示すフローチャートである。
【図７】図７は、受信品質が悪化したときの移動局におけるバンドリングタイプの変更処理を示すフローチャートである。
【図８−１】図８−１は、基地局における状態遷移を示す図である。
【図８−２】図８−２は、移動局における状態遷移を示す図である。
【図９】図９は、基地局と移動局間におけるバンドリングのタイプ変更のやりとりを示すシーケンス図である。
【図１０−１】図１０−１は、バンドリングタイプがＴｙｐｅ２のときのデータのリソース割り当てを示す図である（その１）。
【図１０−２】図１０−２は、バンドリングタイプがＴｙｐｅ２のときのデータのリソース割り当てを示す図である（その２）。
【図１０−３】図１０−３は、バンドリングタイプがＴｙｐｅ２のときのデータのリソース割り当てを示す図である（その３）。
【図１１】図１１は、受信品質によるバンドリングタイプの変更を説明するタイムチャートである。
【図１２】図１２は、バンドリングタイプがＴｙｐｅ２のときの再送制御を説明するタイムチャートである。
【発明を実施するための形態】
【００１６】
以下に添付図面を参照して、開示技術の好適な実施の形態を詳細に説明する。
【００１７】
（実施の形態）
（通信方法）
図１は、実施の形態にかかる通信方法を示す概要図である。はじめに、この実施の形態の通信方法の概要について説明する。基地局では、携帯端末等の移動局から送信されたＴＴＩバンドリングによるデータ受信状況を監視する。移動局は、基地局に対して、１回の送信あたり所定のＴＴＩｓ（送信時間間隔）連続してＴＴＩバンドル数の同一パケットを送信するＴＴＩバンドリングをおこなう。ここで、当初は、規格にしたがい１回分（４ＴＴＩｓ分）のデータ送信を４つのパケットを用いておこなう。１ＴＴＩｓ分のパケットを新規データとし、残り３ＴＴＩｓ分のパケットは新規データの複製データとして送信する（図１のデータＡ）。
【００１８】
そして、基地局では、移動局から送信されたデータＡを受信した後のデータａについて受信品質を監視する。そして、新規データまたは複製データのうち１つでも受信品質が良好（たとえばＣＲＣ−ＯＫ：誤りなし）であれば、移動局に対してデータが正常に受信できたことを示すＡＣＫを返す。基地局では、一つのデータの組である２ＴＴＩｓ分のデータ（新規データ×１と複製データ×１）があれば受信できる確率が高い状況と判断できたとする。たとえば、図１に示すデータａでは、３／４の確率で受信品質が良好（ＣＲＣ−ＯＫ）と判定できたため、新規データ×１と複製データ×１でも良好にデータ受信できると判断する。
【００１９】
この場合、基地局は移動局に対して、４ＴＴＩｓを１回分のデータ送信に使用するのではなく、１回分（４ＴＴＩｓ）の間に、２つの異なるデータ（新規データ１＋新規データ１の複製データ１）＋（新規データ１と異なる新規データ２＋新規データ２の複製データ２）、すなわち、異なる２組分（２データ分）を送るよう送信タイプを変更するように伝える。
【００２０】
移動局は、基地局から送信タイプの変更の通知を受けると、図１に示すデータＢのように、４ＴＴＩｓの間に、（新規データ１＋複製データ１）＋（新規データ２＋複製データ２）のように異なる２組分のデータを基地局に送信するようになる。
【００２１】
図１で見て、既存のように１データを４ＴＴＩｓに割り付けるタイプ（データＡ）をＴｙｐｅ１と称する。そして、上述のように、２データを２ＴＴＩｓ＋２ＴＴＩｓとして割り付けるタイプ（データＢ）をＴｙｐｅ２と称する。基地局から移動局へのバンドリングタイプの変更の通知情報は、基地局から移動局に対する下り制御信号の制御ＣＨ（ＰＤＣＣＨ）に含ませる。
【００２２】
そして、Ｔｙｐｅ２では、基地局で受信したデータに対するＡＣＫ／ＮＡＣＫ判断は、２データのそれぞれで判断する（データｂ）。すなわち２ＴＴＩｓ１組のデータうち新規データあるいは複製データのいずれかの受信品質が良好であればデータを正常に復号できるため、この１組のデータについてＡＣＫ１を返すことができ、他の１組についても同様にＡＣＫ２を判断する。
【００２３】
このように、基地局は、移動局から送信されるＴＴＩバンドリングのデータ受信品質を監視し、移動局に対し、基地局へ送信するデータのリソース制御をおこなう。これにより、Ｔｙｐｅ２のときには、移動局から基地局へのアップリンクについて、ＴＴＩバンドリング動作を維持したままの状態、すなわち、１組あたり新規データと複製データの組を維持して基地局側での受信の確率を高めつつ、約２倍のデータ伝送が可能となり、効率的なデータ伝送が可能になる。
【００２４】
（基地局の構成例）
図２は、実施の形態にかかる基地局の構成例を示すブロック図である。基地局２００は、無線部２０１と、ベースバンド部２０２と、伝送ＩＦ部２０３と、を含んでいる。無線部２０１は、アンテナ２１０を介してＲＦの無線電波を送受信する。受信した無線電波は、ベースバンド部２０２の復調部２１１で信号が復調され、復号部２１２で信号が復号される。復号部２１２で復号された信号については、データの受信品質を測定および管理する測定部としてのＣＲＣ部２１３によりＣＲＣチェックが実施される。ベースバンド部２０２は、たとえばＤＳＰ（Ｄｉｇｉｔａｌ  Ｓｉｇｎａｌ  Ｐｒｏｃｅｓｓｏｒ）で実現することができる。
【００２５】
ＣＲＣ部２１３を介して、受信した信号は、伝送ＩＦ部２０３を介して外部出力される。このＣＲＣ部２１３は、復号部２１２から出力されたパケット（データ）のＣＲＣ（誤り検出）をおこなう。ＣＲＣ部２１３は、ＣＲＣを行ったパケットを、ＣＲＣ結果を示すＣＲＣ情報とともに伝送Ｉ／Ｆ部２０３へ出力する。このＣＲＣ情報は、パケットの誤り検出結果に関する情報であり、たとえばパケットに誤りがないかあるか（ＣＲＣ−ＯＫまたはＣＲＣ−ＮＧ）を示す情報である。また、ＣＲＣ部２１３によるＣＲＣチェックの結果は、アップリンク制御部２２０に出力される。
【００２６】
移動局に対するデータの送信について説明すると、伝送ＩＦ部２０３にデータが入力され、このデータは、ダウンリンク制御部２３０を介して変調部２３５で変調され、無線部２０１に出力され、アンテナ２１０から移動局に送信される。
【００２７】
また、アップリンク制御部２２０は、移動局に対するバンドリング数の変更等に関する制御信号を送信する。このアップリンク制御部２２０の内部について説明すると、上り信号制御機能部２２１と、非ＴＴＩバンドリングＨＡＲＱ制御部２２２と、ＴＴＩバンドリング受信品質管理部２２３と、ＴＴＩバンドリングデータ数設定部２２４と、ＴＴＩバンドリングＨＡＲＱ制御部２２５と、を含む。ＴＴＩバンドリングＨＡＲＱ制御部２２５は、バンドリングしたデータの再送を制御する再送制御部２２６を含む。
【００２８】
上り信号制御機能部２２１は、上り信号に関する制御を実施し、電波強度の状況に応じてＴＴＩバンドリング機能させるか否かを判断する。また、移動局から受信した各リソース毎にＣＲＣ部２１３のＣＲＣ結果（ＣＲＣ−ＯＫまたはＣＲＣ−ＮＧ）も中継する。この上り信号制御機能部２２１は、ＴＴＩバンドリングを機能させる（ＴＴＩバンドリング＝ＯＮ）場合には、ＴＴＩバンドリング受信品質管理部２２３以降の各部でＴＴＩバンドリング伝送にかかる制御を実行させる。一方、上り信号制御機能部２２１は、ＴＴＩバンドリングではなく、通常の再送制御を機能させる（ＴＴＩバンドリング＝ＯＦＦ）場合には、非ＴＴＩバンドリングＨＡＲＱ制御部２２２による再送制御を実行させる。
【００２９】
本実施の形態では、ＴＴＩバンドリングを機能させた（ＴＴＩバンドリング＝ＯＮ）伝送制御を主に記載しているが、非ＴＴＩバンドリングＨＡＲＱ制御部２２２による再送制御を機能させる（ＴＴＩバンドリング＝ＯＦＦ）場合と、ＴＴＩバンドリングを機能させる（ＴＴＩバンドリング＝ＯＮ）場合とを選択し、対応する情報を制御信号に含ませて移動局に送信する。これら非ＴＴＩバンドリングのＨＡＲＱ方式とＴＴＩバンドリング方式の選択については、後述する状態遷移を用いて説明する。
【００３０】
ＴＴＩバンドリング受信品質管理部２２３は、上り信号制御機能部２２１を介してＣＲＣ部２１３からのＣＲＣ結果を受け、受信品質によるバンドリングタイプ（Ｔｙｐｅ１またはＴｙｐｅ２）の判定をおこなう。すなわち、移動局から図１のデータＡを受信した結果、１回の送信（４ＴＴＩｓ）で受信品質が良好（ＣＲＣ−ＯＫ）の場合には（図１のデータａ）、それまでのＴｙｐｅ１からＴｙｐｅ２（図１のデータＢ）にバンドリングタイプを変更させる。また、後述するように、受信品質が悪化したときには、Ｔｙｐｅ２からＴｙｐｅ１にバンドリングタイプを変更させる。
【００３１】
ＴＴＩバンドリングデータ数設定部２２４は、ＴＴＩバンドリング受信品質管理部２２３で変更されたバンドリングタイプに対応して、１回の送信（４ＴＴＩｓ）のデータ数と、データ配置パターン（新規データおよび複製データの配置）を設定する。Ｔｙｐｅ１であれば、１ＴＴＩｓ分のパケットを新規データとし、残り３ＴＴＩｓ分のパケットは新規データの複製データとして配置する設定をおこなう。ＴＹＰＥ２であれば、１回分（４ＴＴＩｓ）の間に、２つの異なるデータ（新規データ１＋新規データ１の複製データ１）＋（新規データ１と異なる新規データ２＋新規データ２の複製データ２）、すなわち、異なる２組分（２データ分）を送る配置の設定をおこなう。
【００３２】
ＴＴＩバンドリングＨＡＲＱ制御部２２５は、実際のリソース割り当てをおこない制御信号を出力する。このＴＴＩバンドリングＨＡＲＱ制御部２２５には、再送制御部２２６が設けられ、上述した、移動局におけるデータの複製、およびデータの再送を制御する。変調部２３５は、ＴＴＩバンドリングＨＡＲＱ制御部２２５から出力される制御信号を所定の変調方式で変調する。無線部２０１は、変調された制御信号をアンテナ２１０を介して移動局に送信する。
【００３３】
（移動局の構成例）
図３は、実施の形態にかかる移動局の構成例を示すブロック図である。移動局３００は、無線部３０１と、ベースバンド部３０２と、アプリケーションＩＦ部３０３と、を含んでいる。移動局３００は、たとえば携帯電話端末である。
【００３４】
ベースバンド部３０２は、復調部３１１と、復号部３１２と、ＣＲＣ部３１３と、受信制御部３２０と、送信制御部３３０と、変調部３３５と、を含んでいる。このベースバンド部３０２は、たとえば、携帯電話端末に内蔵された通信プロセッサで実現することができる。
【００３５】
無線部３０１は、アンテナ３１０を介してＲＦの無線電波を送受信する。受信した無線電波は、ベースバンド部３０２の復調部３１１で信号が復調され、復号部３１２で信号が復号される。復号部３１２で復号された信号については、ＣＲＣ部３１３によりＣＲＣチェックが実施され、受信制御部３２０に出力される。
【００３６】
受信制御部３２０は、データ処理部３２１と、制御信号処理部３２２と、を含む。データ処理部３２１は、受信したデータを処理し、アプリケーションＩＦ部３０３を介して各入出力装置に出力する。また、受信した制御信号は、制御信号処理部３２２により処理され、ＴＴＩバンドリングタイプ判定部３２３によりバンドリングタイプが判定される。なお、制御信号には、非ＴＴＩバンドリング機能を選択する情報、あるいはＴＴＩバンドリング機能とＴＴＩバンドリングタイプを選択する情報が含まれており、この情報を送信制御部３３０に出力する。
【００３７】
基地局２００に対するデータの送信について説明すると、各入出力装置３４０からアプリケーションＩＦ部３０３にデータが入力され、送信制御部３３０を介して変調部３３５により変調され、無線部３０１に入力され、アンテナ３１０から基地局２００に送信される。基地局２００に送信されるデータは、送信制御部３３０により再送制御され、送信される。
【００３８】
送信制御部３３０は、非ＴＴＩバンドリングＨＡＲＱ制御部３３１と、ＴＴＩバンドリングＨＡＲＱ制御部３３２と、を含む。この送信制御部３３０は、制御信号処理部３２２から出力された送信制御にかかる信号が非ＴＴＩバンドリングＨＡＲＱ制御であれば、非ＴＴＩバンドリングＨＡＲＱ制御部３３１を機能させ、移動局３００に対するデータを、非ＴＴＩバンドリングＨＡＲＱ制御部３３１による通常の再送機能を有して送信する。一方、ＴＴＩバンドリングであれば、ＴＴＩバンドリングＨＡＲＱ制御部３３２を機能させ、ＴＴＩバンドリングの機能を有して送信する。非ＴＴＩバンドリングＨＡＲＱ制御については説明を省略する。
【００３９】
ＴＴＩバンドリングＨＡＲＱ制御部３３２は、制御信号処理部３２２から出力された信号（上述したバンドリングタイプ）に対応して、ＴＴＩバンドリングタイプ（Ｔｙｐｅ１またはＴｙｐｅ２）の変更をおこない、変更したタイプでデータを出力する。
【００４０】
変調部３３５は、送信制御部３３０から出力されたデータを所定の変調方式で変調する。無線部３０１は、変調されたデータをアンテナ３１０を介して基地局２００に送信する。
【００４１】
（基地局におけるバンドリングタイプの変更処理：受信品質向上時）
図４は、基地局における受信品質が向上したときのバンドリングタイプの変更処理を示すフローチャートである。移動局３００から送信される電波の電波状態が良好となり（改善され）、データの受信品質が向上したときの処理を示している。処理開始時のバンドリングタイプはＴｙｐｅ１であるとする。
【００４２】
データの受信品質が良好となったときには、アップリンクのスループットを上げるためにＴＴＩバンドリングのタイプをＴｙｐｅ２に変更する。受信品質が良好とならなかったり、安定しない場合には、Ｔｙｐｅ１のままとする。
【００４３】
はじめに、基地局２００では、移動局３００から送信された電波を無線部２０１で受信する（ステップＳ４０１）。そして、復号されたデータの受信品質（ＣＲＣ）がＣＲＣ部２１３により検出される。ここで、ＴＴＩバンドリング受信品質管理部２２３は、１回の送信あたり（４ＴＴＩｓ）におけるＣＲＣ−ＯＫの数を予め定めた閾値（値＝２）と比較する（ステップＳ４０２）。現在の３ＧＰＰの規格では、バンドルサイズが４であるため、２ＴＴＩｓ分で１つのデータ（新規データと複製データ）の組とするためには、閾値の値＝２が好ましい。
【００４４】
ＴＴＩバンドリング受信品質管理部２２３による比較の結果、ＣＲＣ−ＯＫの数が閾値以上のときには（ステップＳ４０２：Ｙｅｓ）、カウント値ｎを１インクリメントする（ステップＳ４０３）。一方、ＣＲＣ−ＯＫの数が閾値未満の場合には、（ステップＳ４０２：Ｎｏ）、それまでのカウント値ｎを０クリアし（ステップＳ４０４）、ステップＳ４０１に戻る。
【００４５】
ステップＳ４０３の処理後、ＴＴＩバンドリング受信品質管理部２２３は、カウント値ｎが予め定めたバンドリングタイプ切り替え判断用の変更閾値Ｎを超えたか判断する（ステップＳ４０５）。変更閾値Ｎは１以上に設定する（図１の例では変更閾値Ｎ＝１に相当）。変更閾値Ｎを２とすれば２回分の受信品質で判断する。これにより、連続した複数回の送信についてステップＳ４０２の条件を満たす場合（受信状態が）にはカウント値ｎの値は増加する。変更閾値Ｎに達しないまでの期間は（ステップＳ４０５：Ｎｏ）、次回の送信（４ＴＴＩｓ）について同様にステップＳ４０１以降の処理を実行する。
【００４６】
そして、ＴＴＩバンドリング受信品質管理部２２３は、ＴＴＩカウント値ｎが変更閾値Ｎを超えた場合には（ステップＳ４０５：Ｙｅｓ）、バンドリングタイプをＴｙｐｅ１からＴｙｐｅ２へ変更し（ステップＳ４０６）、上記変更の処理を終了する。具体的には、ＴＴＩバンドリングデータ数設定部２２４を介してＴＴＩバンドリングＨＡＲＱ制御部２２５に対し、バンドリングタイプをＴｙｐｅ２に変更させる制御をおこなう。この制御は、制御信号として移動局３００に送信され、実際には移動局３００においてバンドリングタイプがＴｙｐｅ１からＴｙｐｅ２に変更される。
【００４７】
上記処理において、ステップＳ４０５で比較する変更閾値Ｎの値を大きくすれば、受信品質が安定した状況となった後にバンドリングタイプがＴｙｐｅ２に変更されることになる。
【００４８】
（移動局におけるバンドリングタイプの変更処理：受信品質向上時）
図５は、受信品質が向上したときの移動局におけるバンドリングタイプの変更処理を示すフローチャートである。移動局３００は、基地局２００から送信される制御信号に基づき、バンドリングタイプを変更する。この受信品質が向上、とは基地局２００において移動局３００から受信したデータの受信品質が向上したことを意味する。移動局３００では、バンドリングタイプの変更の情報が含まれた制御信号を受信してバンドリングタイプを変更する。処理開始時のバンドリングタイプはＴｙｐｅ１であるとする。
【００４９】
はじめに、移動局３００では、基地局２００から送信された電波を無線部３０１で受信し、復号部３１２により制御信号を復号する受信処理をおこなう（ステップＳ５０１）。そして、制御信号処理部３２２により、制御信号に含まれるバンドリングタイプの情報を判断する（ステップＳ５０２）。バンドリングタイプがＴｙｐｅ１であれば（ステップＳ５０２：Ｔｙｐｅ１）、バンドリングタイプの変更をおこなわずに処理を終了する。
【００５０】
一方、制御信号処理部３２２による判断の結果、バンドリングタイプがＴｙｐｅ２であれば（ステップＳ５０２：Ｔｙｐｅ２）、ＴＴＩバンドリングＨＡＲＱ制御部３３２は、バンドリングタイプをＴｙｐｅ１からＴｙｐｅ２へ変更し（ステップＳ５０３）、上記変更の処理を終了する。これにより、以降、移動局３００から基地局２００へ送信するデータは、Ｔｙｐｅ２（図１のデータＢ）で示したバンドリングタイプとなる。
【００５１】
（基地局におけるバンドリングタイプの変更処理：受信品質悪化時）
図６は、基地局における受信品質が悪化したときのバンドリングタイプの変更処理を示すフローチャートである。図４に示す処理により、バンドリングタイプがＴｙｐｅ２に変更された後の処理であり、移動局３００から送信される電波の電波状態が悪化し（低下し）、データの受信品質が悪化したときの処理を示している。
【００５２】
データの受信品質が悪化したときには、アップリンクのスループットを下げるためにＴＴＩバンドリングのタイプをＴｙｐｅ１に変更する。受信品質が良好な状態で安定していれば、Ｔｙｐｅ２のままとする。
【００５３】
はじめに、基地局２００では、移動局３００から送信された電波を無線部２０１で受信する（ステップＳ６０１）。そして、復号されたデータの受信品質（ＣＲＣ）がＣＲＣ部２１３により検出される。ここで、ＴＴＩバンドリング受信品質管理部２２３は、１回の送信あたり（４ＴＴＩｓ）におけるＣＲＣ−ＯＫの数を予め定めた閾値（値＝２）と比較する（ステップＳ６０２）。比較の結果、ＣＲＣ−ＯＫの数が閾値未満のときには（ステップＳ６０２：Ｙｅｓ）、カウント値ｎを１インクリメントする（ステップＳ６０３）。一方、ＣＲＣ−ＯＫの数が閾値未満でなければ、（ステップＳ６０２：Ｎｏ）、それまでのカウント値ｎを０クリアし（ステップＳ６０４）、ステップＳ６０１に戻る。
【００５４】
ステップＳ６０３の処理後、ＴＴＩバンドリング受信品質管理部２２３は、ＴＴＩカウント値ｎが予め定めたバンドリングタイプ切り替え判断用の変更閾値Ｎを超えたか判断する（ステップＳ６０５）。変更閾値Ｎは１以上に設定する。これにより、連続した複数回の送信についてステップＳ６０２の条件を満たす場合にはカウント値ｎの値は増加する。変更閾値Ｎに達しないまでの期間は（ステップＳ６０５：Ｎｏ）、次の回の送信（４ＴＴＩｓ）について同様にステップＳ６０１以降の処理を実行する。
【００５５】
そして、ＴＴＩバンドリング受信品質管理部２２３は、ＴＴＩカウント値ｎが変更閾値Ｎを超えた場合には（ステップＳ６０５：Ｙｅｓ）、バンドリングタイプをＴｙｐｅ２からＴｙｐｅ１へ変更し（ステップＳ６０６）、上記変更の処理を終了する。具体的には、ＴＴＩバンドリングデータ数設定部２２４を介してＴＴＩバンドリングＨＡＲＱ制御部２２５に対し、バンドリングタイプをＴｙｐｅ１に変更させる制御をおこなう。この制御は、制御信号として移動局３００に送信され、実際には移動局３００においてバンドリングタイプがＴｙｐｅ２からＴｙｐｅ１に変更される。
【００５６】
電波状況が悪化した場合において、バンドリングタイプをＴｙｐｅ２のままで継続させると、再送が発生してしまうことになる。すなわち、データの再送の発生の有無で見ると、１回の送信あたり複数の異なるデータを含むＴｙｐｅ２に比して、同一データを４つ含むＴｙｐｅ１の方が再送の発生を抑えることができる。このため、たとえば、受信品質が安定しているか否かを短期間で判断し、再送の発生を抑えるバンドリングＴｙｐｅ１へ早めに切り替えるようにする場合には、変更閾値Ｎの値を小さくする。
【００５７】
（移動局におけるバンドリングタイプの変更処理：受信品質悪化時）
図７は、受信品質が悪化したときの移動局におけるバンドリングタイプの変更処理を示すフローチャートである。移動局３００は、基地局２００から送信される制御信号に基づき、バンドリングタイプを変更する。移動局３００では、バンドリングタイプの変更の情報が含まれた制御信号を受信してバンドリングタイプを変更する。図５の処理により、処理開始時のバンドリングタイプはＴｙｐｅ２であるとする。
【００５８】
はじめに、移動局３００では、基地局２００から送信された電波を無線部３０１で受信し、復号部３１２により制御信号を復号する受信処理をおこなう（ステップＳ７０１）。そして、制御信号処理部３２２により、制御信号に含まれるバンドリングタイプの情報を判断する（ステップＳ７０２）。バンドリングタイプがＴｙｐｅ２であれば（ステップＳ７０２：Ｔｙｐｅ２）、バンドリングタイプの変更をおこなわずに処理を終了する。
【００５９】
一方、制御信号処理部３２２による判断結果、バンドリングタイプがＴｙｐｅ１であれば（ステップＳ７０２：Ｔｙｐｅ１）、ＴＴＩバンドリングＨＡＲＱ制御部３３２は、バンドリングタイプをＴｙｐｅ２からＴｙｐｅ１へ変更し（ステップＳ７０３）、上記変更の処理を終了する。これにより、以降、移動局３００から基地局２００へ送信するデータは、Ｔｙｐｅ１（図１のデータＡ）で示したバンドリングタイプとなる。
【００６０】
（ＴＴＩバンドリング方式と非ＴＴＩバンドリング方式の状態遷移）
図８−１は、基地局における状態遷移を示す図である。非ＴＴＩバンドリング（ノーマルモードと称す）と、ＴＴＩバンドリングのタイプ（Ｔｙｐｅ１，Ｔｙｐｅ２）間での相互の遷移状態を示している。これらの状態遷移は、基地局２００の上り信号制御機能部２２１が切り替え指示する。基地局２００は、初期状態でＴＴＩバンドリングタイプがＴｙｐｅ１で動作している（状態８０１）。
【００６１】
この後、移動局３００からのデータ受信時の受信品質が向上すると、基地局２００のＴＴＩバンドリングＨＡＲＱ制御部２２５は、ＴＴＩバンドリングタイプをＴｙｐｅ２の状態に変更する（状態８０２）。ＴＴＩバンドリングタイプがＴｙｐｅ２の状態にあるとき、移動局３００からのデータ受信時の受信品質が悪化すると、基地局２００は、ＴＴＩバンドリングタイプをＴｙｐｅ１の状態に戻す（状態８０１）。
【００６２】
上述した実施の形態では、ＴＴＩバンドリング動作をおこなうこと（ＴＴＩバンドリング＝ＯＮ）を前提としたが、基地局２００は、非ＴＴＩバンドリング（ＴＴＩバンドリング＝ＯＦＦ）の状態（状態８１０）に切り替えることもできる。
【００６３】
ＴＴＩバンドリングの状態（状態８０１のＴｙｐｅ１および状態８０２のＴｙｐｅ２）から非ＴＴＩバンドリング（ノーマルモードと称す）の状態８１０へは、いずれも図示のように、ＴＴＩバンドリング＝ＯＦＦとすることにより切り替えることができる。
【００６４】
一方、非ＴＴＩバンドリング（ノーマルモードと称す）の状態８１０からＴＴＩバンドリング（ＴＴＩバンドリング＝ＯＮ）への状態の切り替えについては、必ず、状態８０１のＴｙｐｅ１に状態遷移するようにしている。これは、ＴＴＩバンドリングのＴｙｐｅ１が現在の３ＧＰＰの規格に相当するためである。ＴＴＩバンドリングへの状態遷移は、まずＴｙｐｅ１に遷移し、その後、Ｔｙｐｅ２に遷移するようにしている。
【００６５】
図８−２は、移動局における状態遷移を示す図である。移動局３００における状態遷移についても、基地局２００同様であるが、基地局２００からの制御信号に含まれるＴＴＩバンドリングＯＮ／ＯＦＦの状態と、ＴＴＩバンドリングタイプ＝Ｔｙｐｅ１／Ｔｙｐｅ２）の情報に基づき従動する形で切り替えられる。この状態遷移は、基地局２００からの制御信号の受信に基づき、移動局３００の制御信号処理部３２２が切り替え指示する。移動局３００は、初期状態でＴＴＩバンドリングタイプがＴｙｐｅ１で動作している（状態９０１）。このＴｙｐｅ１では、図１のデータＡに示すように、１回の送信に新規データを１つのみ含む。
【００６６】
この後、基地局２００が移動局３００からのデータ受信時の受信品質が向上したと判断すると、基地局２００のＴＴＩバンドリングＨＡＲＱ制御部２２５は、ＴＴＩバンドリングタイプをＴｙｐｅ２の状態に変更し、制御信号に含ませて移動局３００に送信する。これを受けて移動局３００は、ＴＴＩバンドリングタイプをＴｙｐｅ２の状態に変更する（状態９０２）。Ｔｙｐｅ２は、図１のデータＢに示すように、１回の送信で２つの新規データを含む。
【００６７】
ＴＴＩバンドリングタイプがＴｙｐｅ２の状態にあるとき、基地局２００が移動局３００からのデータ受信時の受信品質が悪化したと判断すると、基地局２００のＴＴＩバンドリングＨＡＲＱ制御部２２５は、ＴＴＩバンドリングタイプをＴｙｐｅ１の状態に変更し、制御信号に含ませて移動局３００に送信する。これを受けて移動局３００は、ＴＴＩバンドリングタイプをＴｙｐｅ１の状態に戻す（状態９０１）。
【００６８】
また、ＴＴＩバンドリングの状態（状態９０１のＴｙｐｅ１および状態９０２のＴｙｐｅ２）から非ＴＴＩバンドリング（ノーマルモードと称す）の状態９１０へは、いずれも図示のように、ＴＴＩバンドリング＝ＯＦＦとすることにより切り替えることができる。
【００６９】
一方、非ＴＴＩバンドリング（ノーマルモードと称す）の状態９１０からＴＴＩバンドリング（ＴＴＩバンドリング＝ＯＮ）への状態の切り替えについては、必ず、状態９０１のＴｙｐｅ１に状態遷移するようにしている。これは、ＴＴＩバンドリングのＴｙｐｅ１が現在の３ＧＰＰの規格に相当するためである。ＴＴＩバンドリングへの状態遷移は、まずＴｙｐｅ１に遷移し、その後、Ｔｙｐｅ２に遷移するようにしている。なお、ＴＴＩバンドリング自体をＯＮ／ＯＦＦして非ＴＴＩバンドリングのＨＡＲＱ方式との間で遷移させる場合には、既存のＲＡＣＨ手順が必要となる。
【００７０】
（バンドリングのタイプ変更のシーケンス）
図９は、基地局と移動局間におけるバンドリングのタイプ変更のやりとりを示すシーケンス図である。通常、移動局３００は、リソース割り当て可能な情報を通知するＧｒａｎｔ信号（制御ＣＨ：ＰＤＣＣＨ）を基地局２００から受信し、割り当てられたリソースにデータを入れて送信する。本実施の形態では、基地局２００側がＧｒａｎｔ信号にバンドリングタイプの情報（Ｔｙｐｅ１／Ｔｙｐｅ２）を入れて通知する（ステップＳ９０１，ステップＳ９０３，ステップＳ９１０）。
【００７１】
移動局３００では、Ｇｒａｎｔ信号のバンドリングタイプ情報を見て、送信するデータのバンドリングタイプをＴｙｐｅ１あるいはＴｙｐｅ２に変更する（ステップＳ９０２，ステップＳ９０４，ステップＳ９１１）。データを受けた基地局２００では、Ｇｒａｎｔ信号で通知したバンドリングタイプを用いて、移動局３００から受信した受信データを処理する。
【００７２】
上述したＧｒａｎｔ信号は、通常のシーケンスで使用しており、ＴＴＩバンドリングの状態を維持したままダイナミックにバンドリングタイプを変更できるようになる。また、バンドリングタイプがＴｙｐｅ２の場合、このＴｙｐｅ２のバンドリング機能に未対応の移動局３００を考慮し、未対応の移動局３００に影響しないＧｒａｎｔ信号の領域にＴＴＩバンドリングタイプ情報を入れることが望ましい。すなわち、未対応の移動局３００の非参照領域（Ｄｏｎ’ｔ  ｃａｒｅ領域）を考慮してＴＴＩバンドリングタイプ情報領域を設けることで、Ｔｙｐｅ２に未対応の移動局３００はこのＤｏｎ’ｔ  ｃａｒｅ領域を参照しないため、影響を生じない。
【００７３】
Ｔｙｐｅ２に未対応の移動局３００は、基地局２００からＴｙｐｅ２の情報が来ても認識せずに、従来のＴＴＩバンドリング動作（バンドリングタイプ＝Ｔｙｐｅ１）をおこなう。基地局２００は、バンドリングされたデータをＧｒａｎｔ信号で通知するパラメータを元にＲＶ（Ｒｅｄｕｎｄａｎｃｙ  Ｖｅｒｓｉｏｎ）  ｉｎｄｅｘ等の情報を用いてデコードすることで、バンドリングＴｙｐｅ１のままであることを認識し、未対応の移動局３００であると判断できる。また、移動局３００がＴｙｐｅ２に対応しており、基地局２００が未対応である場合は、Ｇｒａｎｔ信号にＴＴＩバンドリングタイプ情報そのものが入らないため、そのまま従来のＴＴＩバンドリング動作（バンドリングＴｙｐｅ１）で動作する。
【００７４】
（バンドリング時のデータリソース割り当てについて）
図１０−１〜図１０−３は、それぞれバンドリングタイプがＴｙｐｅ２のときのデータのリソース割り当てを示す図である。バンドリングタイプがＴｙｐｅ２のとき、１回の送信の４ＴＴＩｓに新規データ×２、複製データ×２を配置する方法として、図示の３パターンが考えられる。基地局２００から移動局３００に対して通知するＧｒａｎｔ信号には、新規データの位置を示すパターン情報を入れて通知することにより、移動局３００は、通知されたパターンでデータを配置し送信できるようになる。
【００７５】
図１０−１に示すパターン１では、新規データ１、複製データ１、新規データ２、複製データ２の順で配置している。このパターン１は、図１に示したデータＢに相当する。図１０−２に示すパターン２では、新規データ１、新規データ２、複製データ１、複製データ２の順で配置している。図１０−３に示すパターン３では、新規データ１、新規データ２、複製データ２、複製データ１の順で配置している。
【００７６】
上記のパターン１〜パターン３についていずれかのデータの受信品質が悪化（ＣＲＣ−ＮＧ）する要因となる電波障害が発生し、電波障害は２ＴＴＩｓに渡る期間で発生したことを考えてみる。
【００７７】
パターン１では、２ＴＴＩｓに新規データと複製データが連続しているため、図示のように、２ＴＴＩｓに渡って電波障害が発生すると、データ１（あるいはデータ２）は、新規および複製のいずれもＮＧとなりやすい。
【００７８】
パターン２では、２ＴＴＩｓに新規データ１，２が連続しており、新規データ２の次には複製データ１であるため、２ＴＴＩｓに渡ってどの期間で電波障害が発生したとしても、新規あるいは複製データのいずれかがＯＫとなるため、耐性が高い。
【００７９】
パターン３では、２ＴＴＩｓに新規データ２と複製データ２が連続しているため、図示のように、この期間で電波障害が発生したときには、データ２がＮＧとなる。それ以外の期間では、パターン１よりも耐性が高い。上記の結果、電波障害等の受信品質悪化に対する耐性はパターン２＞パターン３＞パターン１となる。すなわち、時間的インターリーブ効果のあるパターン２が最も良い。
【００８０】
（ＴＴＩバンドリングによるデータ内容の詳細）
（受信品質によるバンドリングタイプの変更）
次に、上述した実施の形態において説明したＴＴＩバンドリングによるデータ内容の詳細について説明する。図１１は、受信品質によるバンドリングタイプの変更を説明するタイムチャートである。横軸がサブフレーム（時間）である。基地局２００は、移動局３００に対し、Ｇｒａｎｔ信号を送信し（ステップＳ１１００）、ＴＴＩバンドリングのタイプを通知する。ここでは初期状態でＴｙｐｅ１を通知したとする。これにより移動局３００は、Ｔｙｐｅ１でＴＴＩバンドリングしたデータ１１０１を基地局２００に送信する。このバンドリングは上述したように、バンドルサイズが４であり、４ＴＴＩｓを新規データ×１と、複製データ×３とする。
【００８１】
基地局２００では、移動局３００からのデータ１１０１を受信した結果、新規データがＣＲＣ−ＮＧであるが、他の複製データ×３がＣＲＣ−ＯＫとなった（ステップＳ１１０３）。ＣＲＣ−ＯＫが１つ以上あるため、移動局３００に対してＡＣＫ通知をおこなう（ステップＳ１１０４）。
【００８２】
上記同様の手順で移動局３００からは、２回目のデータ１１０５を基地局２００に送信する。図示のように、１回の送受信にかかる周期（１ＲＴＴ）は、１６ＴＴＩｓである。基地局２００では、このデータ１１０５についてもＣＲＣ−ＯＫが１つ以上あるため（ステップＳ１１０６）、移動局３００に対してＡＣＫ通知をおこなう（ステップＳ１１０７）。また、基地局２００は、移動局３００からのデータの受信品質が一定期間良いことに基づき、バンドリングタイプをＴｙｐｅ２に変更する（ステップＳ１１０８）。基地局２００における以上のバンドリングタイプの変更にかかる処理は図４に記載されている。
【００８３】
そして、基地局２００は、変更したバンドリングタイプ＝Ｔｙｐｅ２の情報をＧｒａｎｔ信号に入れて移動局３００に通知する（ステップＳ１１１０）。Ｇｒａｎｔ信号１１１１には、ｆｏｒｍａｔ情報フラグ１１１１ａ、ＲＢアサイン１１１１ｂ、ＭＣＳ  ａｎｄ  ＲＶ１１１１ｃ、ＮＤＩ１１１１ｄ、バンドリングタイプ１１１１ｎ、等の領域が設けられている。ｆｏｒｍａｔ情報フラグ１１１１ａは、制御情報のフォーマット識別フラグである。ＲＢアサイン１１１１ｂは、リソースブロックのアサイン情報である。ＭＣＳ  ａｎｄ  ＲＶ（Ｍｏｄｕｌａｔｉｏｎ  ａｎｄ  Ｃｏｄｉｎｇ  Ｓｃｈｅｍｅ  ａｎｄ  Ｒｅｄｕｎｄａｎｃｙ  Ｖｅｒｓｉｏｎ）１１１１ｃは、変調、符号化、初送・再送の重複バージョン情報である。ＮＤＩ（Ｎｅｗ  Ｄａｔａ  Ｉｎｄｉｃａｔｏｒ）１１１１ｄは、新規データを示すパラメータである。バンドリングタイプ１１１１ｎは、新規に領域を設け、更に上述したようにＤｏｎ’ｔ  ｃａｒｅ領域に確保することで、Ｔｙｐｅ２に未対応の移動局３００では参照されない。
【００８４】
次に、移動局３００は、基地局２００からのＧｒａｎｔ信号に含まれるＴｙｐｅ２の情報を受けて、バンドリングタイプをＴｙｐｅ２に変更する。移動局３００におけるバンドリングタイプの変更にかかる処理は、図５に記載されている。図１１に示す例では、上述したパターン１（図１０−１参照）による配置でデータ１１１２を基地局２００に送信している。移動局３００は、Ｔｙｐｅ２のとき、２つのデータＡ，Ｂを送信する。この際、パターン１のバンドリングにより、このデータＡ，Ｂは、新規データＡ、複製データＡ、新規データＢ、複製データＢの配置とされる。
【００８５】
基地局２００では、移動局３００からのデータ１１１２を受信した結果、新規データＡがＣＲＣ−ＮＧであるが、他のデータ×３がＣＲＣ−ＯＫとして得られた（ステップＳ１１１３）。この結果、ＣＲＣ−ＯＫが１つ以上あるため、移動局３００に対してＡＣＫ通知をおこなう（ステップＳ１１１４）。図示のように、データＡについて、新規データＡと複製データＡのいずれかでＯＫであればＡＣＫを送信する。また、データＢについても、新規データＢと複製データＢのいずれかでＯＫであれば（図示の例ではいずれもＯＫ）ＡＣＫを送信する。
【００８６】
基地局２００は、所定期間中におけるＴｙｐｅ２で受信したデータの受信品質が悪化していなければ、Ｔｙｐｅ２のままのバンドリングで良いと判断する。この場合、ステップＳ１１１５において、移動局３００に送信するＧｒａｎｔ信号のうち、バンドリングタイプの領域の情報は書き換えられず前回同様にＴｙｐｅ２のままである。
【００８７】
これにより、移動局３００では、データＡ，ＢのいずれについてもＡＣＫの受信により基地局２００で正常に受信できていると判断し、新たなデータＣ，Ｄを次に送信する。この際、パターン１のバンドリングによるデータ１１１６は、新規データＣ、複製データＣ、新規データＤ、複製データＤの配置とされる。
【００８８】
基地局２００では、移動局３００からのデータ１１１６を受信した結果、複製データＤがＣＲＣ−ＮＧであるが、他のデータ×３がＣＲＣ−ＯＫとして得られた（ステップＳ１１１７）。この結果、ＣＲＣ−ＯＫが１つ以上あるため、移動局３００に対してＡＣＫ通知をおこなう（ステップＳ１１１８）。
【００８９】
以上のように、移動局３００から基地局２００に対する１回のデータ送信中に１つのデータの送信だけではなく、基地局で受信したデータの受信品質が良好であれば、１回のデータ送信（４ＴＴＩｓ）に異なる２つのデータを送信するようバンドリングのタイプを変更する。これにより、基地局は、移動局からのデータの受信品質が良好であれば、移動局からより多くのデータを受信できるようになり、移動局３００から基地局２００へのアップリンクの伝送路のスループットを向上させることができるようになる。
【００９０】
（Ｔｙｐｅ２におけるデータの再送制御について）
図１２は、バンドリングタイプがＴｙｐｅ２のときの再送制御を説明するタイムチャートである。次に、Ｔｙｐｅ２におけるデータの再送制御について説明する。基地局２００は、バンドリングタイプ＝Ｔｙｐｅ２の情報をＧｒａｎｔ信号に入れて移動局３００に通知する（ステップＳ１２００）。
【００９１】
次に、移動局３００は、基地局２００からのＧｒａｎｔ信号に含まれるＴｙｐｅ２の情報を受けて、データ１２０１として、２つのデータＡ，Ｂを送信する。この際、パターン１のバンドリングにより、このデータＡ，Ｂは、新規データＡ、複製データＡ、新規データＢ、複製データＢの配置とされる。
【００９２】
基地局２００では、移動局３００からのデータ１２０１を受信した結果、新規データＡがＣＲＣ−ＮＧであるが、他のデータ×３がＣＲＣ−ＯＫとして得られた（ステップＳ１２０３）。この結果、ＣＲＣ−ＯＫが１つ以上あるため、移動局３００に対してＡＣＫ通知をおこなう（ステップＳ１２０４）。
【００９３】
これにより、移動局３００では、データＡ，ＢのいずれについてもＡＣＫの受信により基地局２００で正常に受信できていると判断し、新たなデータＣ，Ｄを次に送信する。この際、パターン１のバンドリングによるデータ１２０６は、新規データＣ、複製データＣ、新規データＤ、複製データＤの配置とされる。
【００９４】
基地局２００では、移動局３００からのデータ１２０６を受信した結果、データＣについては、新規データＣおよび複製データＣのいずれについてもＣＲＣ−ＯＫであるため（ステップＳ１２０７）、ＡＣＫ通知をおこなう（ステップＳ１２０８ａ）。しかし、データＤの２ＴＴＩｓについては、新規データＤおよび複製データＤのいずれもＣＲＣ−ＮＧとなった（ステップＳ１２０７）。このため、移動局３００に対してデータＤについてのＮＡＣＫ通知をおこなう（ステップＳ１２０８ｂ）。
【００９５】
これにより移動局３００では、データＤに対するＮＡＣＫの受信によりデータＤが基地局２００で正常に受信できていないと判断し、データＤについては、次回の送信時に再度送信すると判断する（ステップＳ１２１０）。このため、移動局３００では、データ１２１１として、新たなデータＥと、再送するデータＤとする。再送するデータＤは、新たなデータＥで使用する２ＴＴＩｓの後段の２ＴＴＩｓ部分に配置する。
【００９６】
基地局２００では、移動局３００からのデータ１２１１を受信した結果、再送したデータＤについて新規データＤおよび再送データＤのいずれもＣＲＣ−ＯＫとなったため（ステップＳ１２１２）、移動局３００に対してＡＣＫ通知をおこなう（ステップＳ１２１３ｂ）。なお、データＥについては、新規データＥがＣＲＣ−ＮＧであるが、複製データＥがＣＲＣ−ＯＫとして得られたので（ステップＳ１２１２）、移動局３００に対してＡＣＫ通知をおこなっている（ステップＳ１２１３ａ）。
【００９７】
上記処理によりデータＤの再送をおこなうことができる。以降、移動局３００は、新たなデータ１２１４としてデータＦと、データＧを基地局２００に送信する。なお、上記データＤの再送回数は、上述した変更閾値Ｎに基づき規定することができる。たとえば、図６に示した変更閾値Ｎを４とすれば、データＤの再送が４回を超えれば、バンドリングタイプは、Ｔｙｐｅ２からＴｙｐｅ１に変更されて、再送回数は、Ｔｙｐｅ２に比して少なくできるようになる。
【００９８】
以上のように、バンドリングタイプがＴｙｐｅ２であっても、Ｔｙｐｅ２の状態を維持したままデータの再送をおこなうことができ、１回の送信の４ＴＴＩｓのうち２ＴＴＩｓを用いて１つのデータを再送することができ、この際、新たなデータについても送信できる。したがって、Ｔｙｐｅ２では、再送が発生してもＴｙｐｅ１に比してより多くのデータを送信できるようになり、移動局３００から基地局２００へのアップリンクの伝送路のスループットを向上させることができるようになる。
【００９９】
以上説明した開示技術では、移動局３００が１台の構成について説明したが、基地局２００は、複数台の移動局３００を収容しており、これら複数台の移動局３００に対するＴＴＩバンドリングのタイプを変更させることができる。そして、基地局２００は、移動局３００毎の受信品質を管理してＴＴＩバンドリングのタイプを移動局３００別に変更できるため、各移動局３００の状況に応じた動的なＴＴＩバンドリングのデータ伝送制御をおこなえるようになる。これにより、リソースを効率的に使用して、アップリンクのデータ速度を向上でき、レイテンシを低減できるようになる。また、リソースを有効に活用することで、移動局３００が無駄にデータ送信することを防止できるため、移動局３００の省電力化も図ることができるようになる。
【０１００】
また、上記実施の形態では、アップリンクによるＴＴＩバンドリング制御をおこなう構成について説明したが、上記システム構成をダウンリンクにおけるＴＴＩバンドリング制御に適用することもできる。この場合には、移動局では、基地局側装置から送信されたＴＴＩバンドリングによるデータ受信状況を監視する。移動局から基地局側装置へのバンドリングタイプ（上記Ｔｙｐｅ１、またはＴｙｐｅ２）の変更の通知情報は、移動局から基地局側装置に対する上り制御信号に含ませる。
【０１０１】
そして、移動局は、基地局側から送信されるＴＴＩバンドリングのデータ受信品質を監視し、基地局側装置に対し、移動局へ送信するデータのリソース制御をおこなう。これにより、Ｔｙｐｅ２のときには、基地局側装置から移動局へのダウンリンクについて、ＴＴＩバンドリング動作を維持したままの状態、すなわち、１組あたり新規データと複製データの組を維持して移動局での受信の確率を高めつつ、約２倍のデータ伝送が可能となり、効率的なデータ伝送が可能になる。
【０１０２】
さらに他の構成例としては、アップリンクによるＴＴＩバンドリング制御をおこなう構成において基地局がバンドリングタイプ変更の通知情報を送信せず、移動局が自らバンドリングタイプを変更する構成としてもよい。たとえば、アップリンクにおける通信速度を移動局が自ら計測し、通信状態が良好であれば、移動局が自らバンドリングタイプをＴｙｐｅ２に変更する。あるいは、基地局からのデータの受信状態に基づき、通信状態が良好であれば、移動局が自らバンドリングタイプをＴｙｐｅ２に変更する。このような構成は、ダウンリンクにおけるＴＴＩバンドリング制御、すなわち、移動局がバンドリングタイプ変更の通知情報を送信せず、基地局が自らバンドリングタイプを変更する構成にも適用できる。
【０１０３】
上述した本実施の形態に関し、さらに以下の付記を開示する。
【０１０４】
（付記１）所定の時間間隔あたり所定数のデータを連続して送信する移動局との間で通信をおこなう基地局において、
前記移動局から受信した、連続する前記所定数のデータの受信品質を所定の閾値を用いて判断する測定部と、
前記測定部の測定結果に応じて、前記移動局に対して前記所定の時間間隔あたり同一のデータを送信させる第１の通知情報を出力し、または前記移動局に対して前記所定の時間間隔あたり異なる複数のデータを送信させる第２の通知情報を出力する制御をおこなう制御部と、
を備えることを特徴とする基地局。
【０１０５】
（付記２）前記所定の時間間隔あたりの所定数のデータは、新規のデータと、当該新規のデータを複製した複製データの組からなり、
前記制御部は、
前記第１の通知情報に、前記所定の時間間隔あたり新規のデータと、当該新規のデータを複製した複製データの送信指示を含み、
前記第２の通知情報に、前記所定の時間間隔あたり２つ以上の異なる新規データと、当該新規データをそれぞれ複製した複製データの送信指示を含むことを特徴とする付記１に記載の基地局。
【０１０６】
（付記３）前記測定部は、前記第２の通知情報の出力に基づき前記移動局から受信した、前記所定の時間間隔あたり２つ以上の異なる新規データと、前記複製データのそれぞれに対する受信品質を判断することを特徴とする付記２に記載の基地局。
【０１０７】
（付記４）前記測定部は、前記データの受信品質を、前記所定の時間間隔で受信した複数回分測定した結果に基づき判断することを特徴とする付記１に記載の基地局。
【０１０８】
（付記５）前記制御部は、前記第２の通知情報に、前記所定の時間間隔における前記新規データと、当該新規データをそれぞれ複製した前記複製データの時間間隔上の配置パターンを指定することを特徴とする付記２に記載の基地局。
【０１０９】
（付記６）前記制御部は、前記第１の通知情報および前記第２の通知情報を、前記移動局との間で通信制御の送受に用いる制御信号のうち、前記所定の時間間隔あたり異なる複数のデータを受信する機能を有さない前記移動局に対して影響を与えない通知情報の領域を用いて前記移動局に通知することを特徴とする付記１に記載の基地局。
【０１１０】
（付記７）前記測定部は、前記受信品質を、前記データに対する誤り検出の結果に基づき判断することを特徴とする付記１〜６のいずれか一つに記載の基地局。
【０１１１】
（付記８）所定の時間間隔あたり所定数のデータを連続して基地局に送信する送信部と、
前記送信部により送信した前記データの受信品質に基づき、前記基地局が判断した通知情報を受信する受信部と、
前記受信部によって受信した前記通知情報が、第１の通知情報の場合には、前記所定の時間間隔あたり同一のデータを送信し、または前記受信部によって受信した前記通知情報が、第２の通知情報の場合には、前記所定の時間間隔あたり異なる複数のデータを送信する制御をおこなう制御部と、
を備えることを特徴とする移動局。
【０１１２】
（付記９）前記所定の時間間隔あたりの所定数のデータは、新規のデータと、当該新規のデータを複製した複製データの組からなり、
前記制御部は、前記受信部によって受信した前記通知情報が、前記第１の通知情報の場合には、前記所定の時間間隔あたり新規のデータと、当該新規のデータを複製した複製データを送信し、または前記受信部によって受信した前記通知情報が、前記第２の通知情報の場合には、前記所定の時間間隔あたり２つ以上の異なる新規データと、当該新規データをそれぞれ複製した複製データを送信する制御をおこなうことを特徴とする付記８に記載の移動局。
【０１１３】
（付記１０）前記制御部は、前記基地局からの通知情報に指定された、前記所定の時間間隔における前記新規データと、当該新規データをそれぞれ複製した前記複製データの時間間隔上の配置パターンにしたがい送信させることを特徴とする付記９に記載の移動局。
【０１１４】
（付記１１）前記制御部は、前記基地局との間で通信制御の送受に用いる制御信号のうち、前記所定の時間間隔あたり異なる複数のデータを受信する機能を有さない移動局についても影響を与えない通知情報の領域に設定された情報を参照して、前記基地局からの前記通知情報を得ることを特徴とする付記８に記載の移動局。
【０１１５】
（付記１２）前記制御部は、前記所定の時間間隔あたり２つ以上の異なる新規データと、当該新規データをそれぞれ複製した複製データを送信させる制御の期間中に、前記基地局からの通知情報が、データの再送を要求することを示す場合には、次回の送信時に、前記所定の時間間隔の一部を使用して前記新規データと当該新規データをそれぞれ複製した前記複製データを再送することを特徴とする付記９〜１１のいずれか一つに記載の移動局。
【０１１６】
（付記１３）所定の時間間隔あたり所定数のデータを連続して送信する移動局との間で通信をおこなう基地局の制御方法において、
前記移動局から受信した、連続する前記所定数のデータの受信品質を所定の閾値を用いて判断し、
前記判断の結果に応じて、前記移動局に対して前記所定の時間間隔あたり同一のデータを送信させる第１の通知情報を出力し、または前記移動局に対して前記所定の時間間隔あたり異なる複数のデータを送信させる第２の通知情報を出力することを特徴とする制御方法。
【０１１７】
（付記１４）基地局に対し、所定の時間間隔あたり所定数のデータを連続して送信する移動局の制御方法において、
前記所定の時間間隔あたり同一のデータを送信したデータの受信品質を前記基地局が判断した通知情報を受信し、
受信した前記通知情報が、第１の通知情報の場合には、前記所定の時間間隔あたり同一のデータを送信し、または受信した前記通知情報が、第２の通知情報の場合には、前記所定の時間間隔あたり異なる複数のデータを送信することを特徴とする制御方法。
【０１１８】
（付記１５）所定の時間間隔あたり所定数のデータを連続して送信する移動局と、当該移動局における前記データの送信を制御する基地局とからなる通信システムにおいて、
前記基地局は、
前記移動局から受信した、連続する前記所定数のデータの受信品質を所定の閾値を用いて判断する測定部と、
前記測定部によって受信品質が低いと判断された場合には、前記移動局に対して前記所定の時間間隔あたり同一のデータを送信させる第１の通知情報を出力し、
前記測定部によって受信品質が高いと判断された場合には、前記移動局に対して前記所定の時間間隔あたり異なる複数のデータを送信させる第２の通知情報を出力する制御をおこなう制御部と、を含み、
前記移動局は、
送信部により送信した前記データの受信品質に基づき、前記基地局が判断した通知情報を受信する受信部と、
前記受信部によって前記第１の通知情報を受信したときには、前記所定の時間間隔あたり同一のデータを送信し、
前記受信部によって前記第２の通知情報を受信したときには、前記所定の時間間隔あたり異なる複数のデータを送信する制御をおこなう制御部と、
を含むことを特徴とする通信システム。
【符号の説明】
【０１１９】
２００  基地局
２１３  ＣＲＣ部
２２０  アップリンク制御部
２２１  上り信号制御機能部
２２２  非ＴＴＩバンドリングＨＡＲＱ制御部
２２３  ＴＴＩバンドリング受信品質管理部
２２４  ＴＴＩバンドリングデータ数設定部
２２５  ＴＴＩバンドリングＨＡＲＱ制御部
２３０  ダウンリンク制御部
３００  移動局
３２０  受信制御部
３２１  データ処理部
３２２  制御信号処理部
３２３  ＴＴＩバンドリングタイプ判定部
３３０  送信制御部
３３１  非ＴＴＩバンドリングＨＡＲＱ制御部
３３２  ＴＴＩバンドリングＨＡＲＱ制御部
【国際調査報告】
2012127591.tif 000018
2012127591.tif 000019
2012127591.tif 000020
2012127591.tif 000021